(57)【要約】  本願の実施例は通信性能を向上させることができる通信方法、端末装置及びネットワーク装置を提供し、該方法は、端末装置が少なくとも２つのリソースプールのうちの各リソースプールの状況パラメータに基づいて該少なくとも２つのリソースプールからターゲットリソースプールを決定し、該状況パラメータは該リソースプールのリソース使用状況を示すことに用いられることと、該端末装置が該ターゲットリソースプールのリソースを利用してネットワーク装置と通信することと、を含む。
2019533323.tif 000002
【特許請求の範囲】
【請求項１】
通信方法であって、
端末装置が少なくとも２つのリソースプールのうちの各リソースプールの状況パラメータに基づいて前記少なくとも２つのリソースプールからターゲットリソースプールを決定し、前記状況パラメータは前記リソースプールのリソース使用状況を示すことに用いられることと、
前記端末装置が前記ターゲットリソースプールのリソースを利用してネットワーク装置と通信することと、を含むことを特徴とする通信方法。
【請求項２】
前記状況パラメータは、
前記リソースプールのリソース使用率、前記リソースプールのリソース衝突確率、前記リソースプールにおけるアクセスされた端末数、前記リソースプールのリソース受信電力情報、前記リソースプールにおけるリソースを利用して伝送したデータの遅延、前記リソースプールにおけるリソースを利用して伝送したデータに対するネットワーク装置の応答時間、及び前記リソースプールにおけるリソースを利用して伝送したブロックのエラー率、のうちの少なくとも１つを含むことを特徴とする請求項１に記載の方法。
【請求項３】
前記リソースプールのリソース受信電力情報は、
前記リソースプールにおけるリソースの平均受信電力、及び前記リソースプールにおけるリソースの受信電力の分散度情報のうちの少なくとも１つを含むことを特徴とする請求項２に記載の方法。
【請求項４】
前記少なくとも２つのリソースプールからターゲットリソースプールを決定することは、
前記少なくとも２つのリソースプールのうち対応するリソース使用率が第一閾値以下であるリソースプールから前記ターゲットリソースプールを決定すること、又は
前記少なくとも２つのリソースプールのうち対応するリソース衝突確率が第二閾値以下であるリソースプールから前記ターゲットリソースプールを決定すること、又は
前記少なくとも２つのリソースプールのうちアクセスされた端末数が第三閾値以下であるリソースプールから前記ターゲットリソースプールを決定すること、又は
前記少なくとも２つのリソースプールのうち対応する応答時間が第四閾値以下であるリソースプールから前記ターゲットリソースプールを決定すること、又は
前記少なくとも２つのリソースプールのうち対応する遅延時間が第五閾値以下であるリソースプールから前記ターゲットリソースプールを決定すること、又は
前記少なくとも２つのリソースプールのうち対応する受信電力分散度が第六閾値以下であるリソースプールから前記ターゲットリソースプールを決定すること、又は
前記少なくとも２つのリソースプールのうち対応する伝送されたブロックのエラー率が第七閾値以下であるリソースプールから前記ターゲットリソースプールを決定すること、又は
前記少なくとも２つのリソースプールのうち対応する平均受信電力が第八閾値以下であるリソースプールから前記ターゲットリソースプールを決定すること、を含むことを特徴とする請求項１乃至３のいずれか一項に記載の方法。
【請求項５】
前記少なくとも２つのリソースプールからターゲットリソースプールを決定することは、
前記少なくとも２つのリソースプールのうち対応するリソース使用率の最も低いリソースプールを前記ターゲットリソースプールとして決定すること、又は
前記少なくとも２つのリソースプールのうち対応するリソース衝突確率の最も低いリソースプールを前記ターゲットリソースプールとして決定すること、又は
前記少なくとも２つのリソースプールのうちアクセスされた端末数の最も少ないリソースプールを前記ターゲットリソースプールとして決定すること、又は
前記少なくとも２つのリソースプールのうち対応する応答時間の最も短いリソースプールを前記ターゲットリソースプールとして決定すること、又は
前記少なくとも２つのリソースプールのうち対応する遅延時間の最も短いリソースプールを前記ターゲットリソースプールとして決定すること、又は
前記少なくとも２つのリソースプールのうち対応する前記受信電力分散度の最も小さいリソースプールを前記ターゲットリソースプールとして決定すること、又は
前記少なくとも２つのリソースプールのうち対応する伝送されたブロックのエラー率の最も小さいリソースプールを前記ターゲットリソースプールとして決定すること、又は
前記少なくとも２つのリソースプールのうち対応する平均受信電力の最も小さいリソースプールから前記ターゲットリソースプールを決定すること、を含むことを特徴とする請求項１乃至３のいずれか一項に記載の方法。
【請求項６】
前記状況パラメータが少なくとも２種のパラメータを含む場合、前記少なくとも２つのリソースプールからターゲットリソースプールを決定することは、
前記少なくとも２つのリソースプールのうちの各リソースプールに対応する前記少なくとも２種の状況パラメータに対して同じ次元換算を行うことと、
前記各リソースプールに対応する換算済みの前記少なくとも２つの状況パラメータに対して加重処理を行うことと、
前記各リソースプールに対応する加重処理により取得された値に基づいて、前記少なくとも２つのリソースプールから前記ターゲットリソースプールを決定することと、を含むことを特徴とする請求項１乃至３のいずれか一項に記載の方法。
【請求項７】
前記少なくとも２つのリソースプールからターゲットリソースプールを決定することは、
前記端末装置が前記状況パラメータ、伝送対象データパケットのサイズ、前記伝送対象データパケットのＱｏＳレベル、前記伝送対象データパケットを伝送する送信電力及びダウンリンク経路損失のうちの少なくとも１つに基づいて、前記少なくとも２つのリソースプールから前記ターゲットリソースプールを決定することを含むことを特徴とする請求項１乃至３のいずれか一項に記載の方法。
【請求項８】
前記少なくとも２つのリソースプールから前記ターゲットリソースプールを決定することは、
前記端末装置がデータパケットサイズ、ＱｏＳレベル、送信電力及びダウンリンク経路損失のうちの少なくとも１つと状況パラメータの数値範囲との対応関係、並びに前記伝送対象データパケットのサイズ、前記伝送対象データパケットのＱｏＳレベル、前記伝送対象データパケットを伝送する送信電力及びダウンリンク経路損失のうちの少なくとも１つに基づいて、前記伝送対象データパケットに対応する状況パラメータの数値範囲を決定することと、
前記少なくとも２つのリソースプールのうち状況パラメータの値が前記伝送対象データパケットに対応する状況パラメータの数値範囲に属するリソースプールを前記ターゲットリソースプールとして決定することと、を含むことを特徴とする請求項７に記載の方法。
【請求項９】
前記方法は、更に、
前記ネットワーク装置から送信された前記対応関係を受信することを含むことを特徴とする請求項８に記載の方法。
【請求項１０】
前記方法は、更に、
前記ネットワーク装置から送信された前記状況パラメータを受信することを含むことを特徴とする請求項１乃至９のいずれか一項に記載の方法。
【請求項１１】
通信方法であって、
端末装置が前記端末装置とネットワーク装置との間のダウンリンク経路損失、及び選択された、データを送信するためのターゲットリソースプールに基づいて第一送信電力を決定することと、
前記端末装置が前記第一送信電力に基づいて、前記ターゲットリソースプールにおけるリソースを利用してネットワーク装置にデータを送信することと、を含むことを特徴とする通信方法。
【請求項１２】
前記端末装置が前記端末装置とネットワーク装置との間のダウンリンク経路損失、及び選択された、データを送信するためのターゲットリソースプールに基づいて第一送信電力を決定することは、
前記端末装置が前記端末装置と前記ネットワーク装置との間のダウンリンク経路損失に基づいて第二送信電力を決定することと、
前記ターゲットリソースプールに対応する調整パラメータに基づいて前記第二送信電力を調整して、前記第一送信電力を取得することと、を含むことを特徴とする請求項１１に記載の方法。
【請求項１３】
前記ターゲットリソースプールに対応する調整パラメータに基づいて前記第二送信電力を調整して、前記第一送信電力を取得する前に、前記方法は、更に、
リソースプールの状況パラメータと調整パラメータとの対応関係、前記ターゲットリソースプールの状況パラメータに基づいて、前記ターゲットリソースプールに対応する調整パラメータを決定することを含み、前記状況パラメータは前記リソースプールのリソース使用状況を示すことに用いられることを特徴とする請求項１２に記載の方法。
【請求項１４】
前記方法は、更に、
前記端末装置がネットワーク装置から送信された前記リソースプールの状況パラメータと調整パラメータとの対応関係を受信することを含むことを特徴とする請求項１３に記載の方法。
【請求項１５】
前記ターゲットリソースプールに対応する調整パラメータに基づいて前記第二送信電力を調整して、前記第一送信電力を取得する前に、前記方法は、更に、
リソースプールと調整パラメータとの対応関係に基づいて前記ターゲットリソースプールに対応する調整パラメータを決定することを含み、前記状況パラメータは前記リソースプールのリソース使用状況を示すことに用いられることを特徴とする請求項１２に記載の方法。
【請求項１６】
前記方法は、更に、
前記端末装置がネットワーク装置から送信された前記リソースプールと調整パラメータとの対応関係を受信することを含むことを特徴とする請求項１５に記載の方法。
【請求項１７】
前記端末装置が前記端末装置とネットワーク装置との間のダウンリンク経路損失、及び選択された、データを送信するためのターゲットリソースプールに基づいて第一送信電力を決定することは、
前記端末装置が前記ターゲットリソースプールの状況パラメータ、前記端末装置と前記ネットワーク装置との間のダウンリンク経路損失、及びダウンリンク経路損失と送信電力とリソースプールの状況パラメータとの三者の間の対応関係に基づいて前記第一送信電力を決定することを含み、前記状況パラメータは前記リソースプールのリソース使用状況を示すことに用いられることを特徴とする請求項１１に記載の方法。
【請求項１８】
前記方法は、更に、
前記ネットワーク装置から送信された前記ダウンリンク経路損失と送信電力とリソースプールの状況パラメータとの三者の間の対応関係を受信することを含むことを特徴とする請求項１７に記載の方法。
【請求項１９】
前記端末装置が前記端末装置とネットワーク装置との間のダウンリンク経路損失、及び選択された、データを送信するためのターゲットリソースプールに基づいて第一送信電力を決定することは、
前記端末装置が前記端末装置と前記ネットワーク装置との間のダウンリンク経路損失、前記ターゲットリソースプール、及びダウンリンク経路損失と送信電力とリソースプールとの三者の間の対応関係に基づいて前記第一送信電力を決定することを含むことを特徴とする請求項１１に記載の方法。
【請求項２０】
前記方法は、更に、
前記ネットワーク装置から送信された前記ダウンリンク経路損失と送信電力とリソースプールとの三者の間の対応関係を受信することを含むことを特徴とする請求項１９に記載の方法。
【請求項２１】
通信方法であって、
端末装置が前記端末装置とネットワーク装置との間のダウンリンク経路損失に基づいてターゲットリソースプールを決定することと、
前記端末装置が前記ターゲットリソースプールのリソースを利用してネットワーク装置と通信することと、を含むことを特徴とする通信方法。
【請求項２２】
前記端末装置がネットワーク装置との間のダウンリンク経路損失に基づいて少なくとも２つのリソースプールからターゲットリソースプールを決定することは、
前記端末装置が前記ネットワーク装置との間のダウンリンク経路損失、及びダウンリンク経路損失とリソースプールとの対応関係に基づいて前記ターゲットリソースプールを決定することを含むことを特徴とする請求項２１に記載の方法。
【請求項２３】
前記方法は、更に、
前記ネットワーク装置から送信された前記対応関係を受信することを含むことを特徴とする請求項２２に記載の方法。
【請求項２４】
通信方法であって、
ネットワーク装置が少なくとも２つのリソースプールのうちの各リソースプールの状況パラメータを取得し、前記状況パラメータは前記リソースプールのリソース使用状況を示すことに用いられることと、
前記ネットワーク装置が端末装置に前記各リソースプールの状況パラメータを送信することと、を含むことを特徴とする通信方法。
【請求項２５】
前記方法は、更に、
前記ネットワーク装置が前記端末装置にデータパケットサイズ、ＱｏＳレベル、送信電力及びダウンリンク経路損失のうちの少なくとも１つと状況パラメータの数値範囲との対応関係を送信することを含むことを特徴とする請求項２４に記載の方法。
【請求項２６】
通信方法であって、
ネットワーク装置が端末装置にダウンリンク経路損失とリソースプールとの対応関係を送信し、それにより前記端末装置はネットワーク装置との間のダウンリンク経路損失、及び前記対応関係に基づいて、アップリンクデータを送信するためのリソースプールを決定することを含むことを特徴とする通信方法。
【請求項２７】
通信方法であって、
ネットワーク装置が端末装置にリソースプールと調整パラメータとの対応関係を送信し、それにより前記端末装置は前記対応関係、及び選択された、アップリンクデータを伝送するためのリソースプールに基づいて調整パラメータを決定して、決定された調整パラメータに基づいてアップリンクデータを送信する電力を調整することを含むことを特徴とする通信方法。
【請求項２８】
前記リソースプールと調整パラメータとの対応関係は前記リソースプールの状況パラメータによって決定され、前記状況パラメータは前記リソースプールのリソース使用状況を示すことに用いられることを特徴とする請求項２７に記載の方法。
【請求項２９】
通信方法であって、
ネットワーク装置が端末装置にダウンリンク経路損失と送信電力とリソースプールとの三者の間の対応関係を送信し、それにより前記端末装置はターゲットリソースプール、前記端末装置と前記ネットワーク装置との間のダウンリンク経路損失、及び前記対応関係に基づいて、前記ネットワーク装置にアップリンクデータを送信する送信電力を決定することを含むことを特徴とする通信方法。
【請求項３０】
前記ダウンリンク経路損失と送信電力とリソースプールとの三者の間の対応関係は前記リソースプールの状況パラメータによって決定され、前記状況パラメータは前記リソースプールのリソース使用状況を示すことに用いられることを特徴とする請求項２９に記載の方法。
【請求項３１】
通信方法であって、
ネットワーク装置が端末装置にリソースプールの状況パラメータと調整パラメータとの対応関係を送信し、それにより前記端末装置は前記対応関係、及び選択された、アップリンクデータを伝送するためのリソースプールの状況パラメータに基づいて調整パラメータを決定して、決定された調整パラメータに基づいてアップリンクデータを送信する電力を調整することを含むことを特徴とする通信方法。
【請求項３２】
通信方法であって、
ネットワーク装置が端末装置にダウンリンク経路損失と送信電力とリソースプールの状況パラメータとの三者の間の対応関係を送信し、それにより前記端末装置はターゲットリソースプールの状況パラメータ、前記端末装置と前記ネットワーク装置との間のダウンリンク経路損失、及び前記対応関係に基づいて、前記ネットワーク装置にアップリンクデータを送信する送信電力を決定することを含むことを特徴とする通信方法。
【請求項３３】
端末装置であって、
少なくとも２つのリソースプールのうちの各リソースプールの状況パラメータに基づいて前記少なくとも２つのリソースプールからターゲットリソースプールを決定することに用いられ、前記状況パラメータは前記リソースプールのリソース使用状況を示すことに用いられる決定ユニットと、
前記ターゲットリソースプールのリソースを利用してネットワーク装置と通信するための通信ユニットと、を含むことを特徴とする端末装置。
【請求項３４】
前記状況パラメータは、
前記リソースプールのリソース使用率、前記リソースプールのリソース衝突確率、前記リソースプールにおけるアクセスされた端末数、前記リソースプールのリソース受信電力情報、前記リソースプールにおけるリソースを利用して伝送したデータの遅延、前記リソースプールにおけるリソースを利用して伝送したデータに対するネットワーク装置の応答時間、及び前記リソースプールにおけるリソースを利用して伝送したブロックのエラー率、のうちの少なくとも１つを含むことを特徴とする請求項３３に記載の端末装置。
【請求項３５】
前記リソースプールのリソース受信電力情報は、
前記リソースプールにおけるリソースの平均受信電力、及び前記リソースプールにおけるリソースの受信電力の分散度情報のうちの少なくとも１つを含むことを特徴とする請求項３４に記載の端末装置。
【請求項３６】
前記決定ユニットは、更に、
前記少なくとも２つのリソースプールのうち対応するリソース使用率が第一閾値以下であるリソースプールから前記ターゲットリソースプールを決定し、又は
前記少なくとも２つのリソースプールのうち対応するリソース衝突確率が第二閾値以下であるリソースプールから前記ターゲットリソースプールを決定し、又は
前記少なくとも２つのリソースプールのうちアクセスされた端末数が第三閾値以下であるリソースプールから前記ターゲットリソースプールを決定し、又は
前記少なくとも２つのリソースプールのうち対応する応答時間が第四閾値以下であるリソースプールから前記ターゲットリソースプールを決定し、又は
前記少なくとも２つのリソースプールのうち対応する遅延時間が第五閾値以下であるリソースプールから前記ターゲットリソースプールを決定し、又は
前記少なくとも２つのリソースプールのうち対応する受信電力分散度が第六閾値以下であるリソースプールから前記ターゲットリソースプールを決定し、又は
前記少なくとも２つのリソースプールのうち対応する伝送されたブロックのエラー率が第七閾値以下であるリソースプールから前記ターゲットリソースプールを決定し、又は
前記少なくとも２つのリソースプールのうち対応する平均受信電力が第八閾値以下であるリソースプールから前記ターゲットリソースプールを決定することに用いられることを特徴とする請求項３３乃至３５のいずれか一項に記載の端末装置。
【請求項３７】
前記決定ユニットは、更に、
前記少なくとも２つのリソースプールのうち対応するリソース使用率の最も低いリソースプールを前記ターゲットリソースプールとして決定し、又は
前記少なくとも２つのリソースプールのうち対応するリソース衝突確率の最も低いリソースプールを前記ターゲットリソースプールとして決定し、又は
前記少なくとも２つのリソースプールのうちアクセスされた端末数の最も少ないリソースプールを前記ターゲットリソースプールとして決定し、又は
前記少なくとも２つのリソースプールのうち対応する応答時間の最も短いリソースプールを前記ターゲットリソースプールとして決定し、又は
前記少なくとも２つのリソースプールのうち対応する遅延時間の最も短いリソースプールを前記ターゲットリソースプールとして決定し、又は
前記少なくとも２つのリソースプールのうち対応する前記受信電力分散度の最も小さいリソースプールを前記ターゲットリソースプールとして決定し、又は
前記少なくとも２つのリソースプールのうち対応する伝送されたブロックのエラー率の最も小さいリソースプールを前記ターゲットリソースプールとして決定し、又は
前記少なくとも２つのリソースプールのうち対応する平均受信電力の最も小さいリソースプールから前記ターゲットリソースプールを決定することに用いられることを特徴とする請求項３３乃至３５のいずれか一項に記載の端末装置。
【請求項３８】
前記状況パラメータが少なくとも２種のパラメータを含む場合、前記決定ユニットは、更に、
前記少なくとも２つのリソースプールのうちの各リソースプールに対応する前記少なくとも２種の状況パラメータに対して同じ次元換算を行い、
前記各リソースプールに対応する換算済みの前記少なくとも２つの状況パラメータに対して加重処理を行い、
前記各リソースプールに対応する加重処理により取得された値に基づいて、前記少なくとも２つのリソースプールから前記ターゲットリソースプールを決定することに用いられることを特徴とする請求項３３乃至３５のいずれか一項に記載の端末装置。
【請求項３９】
前記決定ユニットは、更に、
前記状況パラメータと、伝送対象データパケットのサイズ、前記伝送対象データパケットのＱｏＳレベル、前記伝送対象データパケットを伝送する送信電力及びダウンリンク経路損失のうちの少なくとも１つとに基づいて、前記少なくとも２つのリソースプールから前記ターゲットリソースプールを決定することに用いられることを特徴とする請求項３３乃至３５のいずれか一項に記載の端末装置。
【請求項４０】
前記決定ユニットは、更に、
データパケットサイズ、ＱｏＳレベル、送信電力及びダウンリンク経路損失のうちの少なくとも１つと状況パラメータの数値範囲との対応関係、並びに前記伝送対象データパケットのサイズ、前記伝送対象データパケットのＱｏＳレベル、前記伝送対象データパケットを伝送する送信電力及びダウンリンク経路損失のうちの少なくとも１つに基づいて、前記伝送対象データパケットに対応する状況パラメータの数値範囲を決定し、
前記少なくとも２つのリソースプールのうち状況パラメータの値が前記伝送対象データパケットに対応する状況パラメータの数値範囲に属するリソースプールを前記ターゲットリソースプールとして決定することに用いられることを特徴とする請求項３９に記載の端末装置。
【請求項４１】
前記通信ユニットは、更に、
前記ネットワーク装置から送信された前記対応関係を受信することに用いられることを特徴とする請求項４０に記載の端末装置。
【請求項４２】
前記通信ユニットは、更に、
前記ネットワーク装置から送信された前記状況パラメータを受信することに用いられることを特徴とする請求項３３乃至４１のいずれか一項に記載の端末装置。
【請求項４３】
端末装置であって、
前記端末装置とネットワーク装置との間のダウンリンク経路損失、及び選択された、データを送信するためのターゲットリソースプールに基づいて第一送信電力を決定するための決定ユニットと、
前記第一送信電力に基づいて前記ターゲットリソースプールにおけるリソースを利用してネットワーク装置にデータを送信するための通信ユニットと、を含むことを特徴とする端末装置。
【請求項４４】
前記決定ユニットは、更に、
前記端末装置と前記ネットワーク装置との間のダウンリンク経路損失に基づいて第二送信電力を決定し、
前記ターゲットリソースプールに対応する調整パラメータに基づいて前記第二送信電力を調整して、前記第一送信電力を取得することに用いられることを特徴とする請求項４３に記載の端末装置。
【請求項４５】
前記決定ユニットは、更に、
リソースプールの状況パラメータと調整パラメータとの対応関係、前記ターゲットリソースプールの状況パラメータに基づいて前記ターゲットリソースプールに対応する調整パラメータを決定することに用いられ、前記状況パラメータは前記リソースプールのリソース使用状況を示すことに用いられることを特徴とする請求項４４に記載の端末装置。
【請求項４６】
前記通信ユニットは、更に、
ネットワーク装置から送信された前記リソースプールの状況パラメータと調整パラメータとの対応関係を受信することに用いられることを特徴とする請求項４５に記載の端末装置。
【請求項４７】
前記決定ユニットは、更に、
リソースプールと調整パラメータとの対応関係に基づいて前記ターゲットリソースプールに対応する調整パラメータを決定することに用いられ、前記状況パラメータは前記リソースプールのリソース使用状況を示すことに用いられることを特徴とする請求項４４に記載の端末装置。
【請求項４８】
前記通信ユニットは、更に、
ネットワーク装置から送信された前記リソースプールと調整パラメータとの対応関係を受信することに用いられることを特徴とする請求項４７に記載の端末装置。
【請求項４９】
前記決定ユニットは、更に、
前記ターゲットリソースプールの状況パラメータ、前記端末装置と前記ネットワーク装置との間のダウンリンク経路損失、及びダウンリンク経路損失と送信電力とリソースプールの状況パラメータとの三者の間の対応関係に基づいて前記第一送信電力を決定することに用いられ、前記状況パラメータは前記リソースプールのリソース使用状況を示すことに用いられることを特徴とする請求項４３に記載の端末装置。
【請求項５０】
前記通信ユニットは、更に、
前記ネットワーク装置から送信された前記ダウンリンク経路損失と送信電力とリソースプールの状況パラメータとの三者の間の対応関係を受信することに用いられることを特徴とする請求項４３に記載の端末装置。
【請求項５１】
前記決定ユニットは、更に、
前記端末装置と前記ネットワーク装置との間のダウンリンク経路損失、前記ターゲットリソースプール、及びダウンリンク経路損失と送信電力とリソースプールとの三者の間の対応関係に基づいて前記第一送信電力を決定することに用いられることを特徴とする請求項４３に記載の端末装置。
【請求項５２】
前記通信ユニットは、更に、
前記ネットワーク装置から送信された前記ダウンリンク経路損失と送信電力とリソースプールとの三者の間の対応関係を受信することに用いられることを特徴とする請求項５１に記載の端末装置。
【請求項５３】
端末装置であって、
前記端末装置とネットワーク装置との間のダウンリンク経路損失に基づいてターゲットリソースプールを決定するための決定ユニットと、
前記ターゲットリソースプールのリソースを利用してネットワーク装置と通信するための通信ユニットと、を含むことを特徴とする端末装置。
【請求項５４】
前記決定ユニットは、更に、
前記ネットワーク装置との間のダウンリンク経路損失、及びダウンリンク経路損失とリソースプールとの対応関係に基づいて前記ターゲットリソースプールを決定することに用いられることを特徴とする請求項５３に記載の端末装置。
【請求項５５】
前記通信ユニットは、更に、
前記ネットワーク装置から送信された前記対応関係を受信することに用いられることを特徴とする請求項５４に記載の端末装置。
【請求項５６】
ネットワーク装置であって、
少なくとも２つのリソースプールのうちの各リソースプールの状況パラメータを決定することに用いられ、前記状況パラメータは前記リソースプールのリソース使用状況を示すことに用いられる決定ユニットと、
端末装置に前記各リソースプールの状況パラメータを送信するための通信ユニットと、を含むことを特徴とするネットワーク装置。
【請求項５７】
前記通信ユニットは、更に、
前記端末装置にデータパケットサイズ、ＱｏＳレベル、送信電力及びダウンリンク経路損失のうちの少なくとも１つと状況パラメータの数値範囲との対応関係を送信することに用いられることを特徴とする請求項５６に記載のネットワーク装置。
【請求項５８】
ネットワーク装置であって、
ダウンリンク経路損失とリソースプールとの対応関係を決定するための決定ユニットと、
端末装置に前記対応関係を送信することに用いられ、それにより前記端末装置はネットワーク装置との間のダウンリンク経路損失、及び前記対応関係に基づいてアップリンクデータを送信するためのリソースプールを決定する通信ユニットと、を含むことを特徴とするネットワーク装置。
【請求項５９】
ネットワーク装置であって、
リソースプールと調整パラメータとの対応関係を決定するための決定ユニットと、
端末装置に前記対応関係を送信することに用いられ、それにより前記端末装置は前記対応関係、及び選択された、アップリンクデータを伝送するためのリソースプールに基づいて調整パラメータを決定して、決定された調整パラメータに基づいてアップリンクデータを送信する電力を調整する通信ユニットと、を含むことを特徴とするネットワーク装置。
【請求項６０】
前記リソースプールと調整パラメータとの対応関係は前記リソースプールの状況パラメータによって決定され、前記状況パラメータは前記リソースプールのリソース使用状況を示すことに用いられることを特徴とする請求項５９に記載のネットワーク装置。
【請求項６１】
ネットワーク装置であって、
ダウンリンク経路損失と送信電力とリソースプールとの三者の間の対応関係を決定するための決定ユニットと、
端末装置に前記対応関係を送信することに用いられ、それにより前記端末装置はターゲットリソースプール、前記端末装置と前記ネットワーク装置との間のダウンリンク経路損失、及び前記対応関係に基づいて、前記ネットワーク装置にアップリンクデータを送信する送信電力を決定する通信ユニットと、を含むことを特徴とするネットワーク装置。
【請求項６２】
前記ダウンリンク経路損失と送信電力とリソースプールとの三者の間の対応関係は前記リソースプールの状況パラメータによって決定され、前記状況パラメータは前記リソースプールのリソース使用状況を示すことに用いられることを特徴とする請求項６１に記載のネットワーク装置。
【請求項６３】
ネットワーク装置であって、
リソースプールの状況パラメータと調整パラメータとの対応関係を決定するための決定ユニットと、
端末装置に前記対応関係を送信することに用いられ、それにより前記端末装置は前記対応関係、及び選択された、アップリンクデータを伝送するためのリソースプールの状況パラメータに基づいて調整パラメータを決定して、決定された調整パラメータに基づいてアップリンクデータを送信する電力を調整する通信ユニットと、を含むことを特徴とするネットワーク装置。
【請求項６４】
ネットワーク装置であって、
ダウンリンク経路損失と送信電力とリソースプールの状況パラメータとの三者の間の対応関係を決定するための決定ユニットと、
端末装置に前記対応関係を送信することに用いられ、それにより前記端末装置はターゲットリソースプールの状況パラメータ、前記端末装置と前記ネットワーク装置との間のダウンリンク経路損失、及び前記対応関係に基づいて前記ネットワーク装置にアップリンクデータを送信する送信電力を決定する通信ユニットと、を含むことを特徴とするネットワーク装置。
【発明の詳細な説明】
【技術分野】
【０００１】
本願は、通信分野に関し、より具体的に、通信方法、端末装置及びネットワーク装置に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、アップリンクデータを伝送する必要があるとき、ユーザー装置（ＵＥ：Ｕｓｅｒ  Ｅｑｕｉｐｍｅｎｔ）はアップリンクスケジューリング要求（ＳＲ：Ｓｃｈｅｄｕｌｉｎｇ  Ｒｅｑｕｅｓｔ）メカニズムを用いる。ＵＥはアップリンクスケジューリング要求を基地局に送信することにより、データ伝送のために、ＵＥがアップリンクリソースを必要とすることを基地局に告知する。基地局がＵＥからのスケジューリング要求を受信すると、ＵＥに一定のリソースを割り当て、ＵＥがこれらの割り当てられたリソースでデータ伝送を行う。しかしながら、このようなメカニズムはシグナリングオーバーヘッドが大きい。
【０００３】
上記問題を解決するために、競争に基づく方式でデータ伝送を行ってもよい。すなわち、ＵＥはデータ伝送を行うためにスケジューリング要求方式で基地局にリソースの割り当てを要求する必要はなく、リソースプールからランダムに選択してデータ伝送を行う。
【０００４】
競争に基づく方式でデータ伝送を行う場合、リソースの選択が通信性能全体に与えた影響がより重要であるため、どのように適切なリソースを選択するかは、競争に基づく方式でデータ伝送を行う技術における緊急に解決すべき問題である。
【発明の概要】
【０００５】
本願の実施例は、通信性能を向上させることができる通信方法、端末装置及びネットワーク装置を提供する。
【０００６】
第一態様は通信方法を提供し、該方法は、端末装置が少なくとも２つのリソースプールのうちの各リソースプールの状況パラメータに基づいて該少なくとも２つのリソースプールからターゲットリソースプールを決定し、該状況パラメータは該リソースプールのリソース使用状況を示すことに用いられることと、該端末装置は該ターゲットリソースプールのリソースを利用してネットワーク装置と通信することと、を含む。
【０００７】
従って、本願の実施例において、端末装置はリソースプールのリソース使用状況に基づいて少なくとも２つのリソースプールからターゲットリソースプールを決定し、それによりリソースプールの具体的な使用状況に応じてターゲットリソースプールを選択することができ、競争に基づく伝送過程において、他の端末装置に影響を与えることをできる限り避け、又は他の端末装置が自体のデータ伝送に影響を与えることを避けることができる。
【０００８】
第一態様を参照して、第一態様の第一の可能な実現方式では、該状況パラメータは、
該リソースプールのリソース使用率、該リソースプールのリソース衝突確率、該リソースプールにおけるアクセスされた端末数、該リソースプールのリソース受信電力情報、該リソースプールにおけるリソースを利用して伝送したデータの遅延、ネットワーク装置の、該リソースプールにおけるリソースを利用して伝送したデータに対する応答時間、及び該リソースプールにおけるリソースを利用して伝送したブロックのエラー率のうちの少なくとも１つを含む。
【０００９】
第一態様又は上記いずれか１つの可能な実現方式を参照して、第一態様の第二の可能な実現方式では、該リソースプールのリソース受信電力情報は、
該リソースプールにおけるリソースの平均受信電力、及び該リソースプールにおけるリソースの受信電力の分散度情報のうちの少なくとも１つを含む。
【００１０】
第一態様又は上記いずれか１つの可能な実現方式を参照して、第一態様の第三の可能な実現方式では、該少なくとも２つのリソースプールからターゲットリソースプールを決定することは、
該少なくとも２つのリソースプールのうちの、対応するリソース使用率が第一閾値以下であるリソースプールから該ターゲットリソースプールを決定すること、又は
該少なくとも２つのリソースプールのうちの、対応するリソース衝突確率が第二閾値以下であるリソースプールから該ターゲットリソースプールを決定すること、又は
該少なくとも２つのリソースプールのうちの、アクセスされた端末数が第三閾値以下であるリソースプールから該ターゲットリソースプールを決定すること、又は
該少なくとも２つのリソースプールのうちの、対応する応答時間が第四閾値以下であるリソースプールから該ターゲットリソースプールを決定すること、又は
該少なくとも２つのリソースプールのうちの、対応する遅延時間が第五閾値以下であるリソースプールから該ターゲットリソースプールを決定すること、又は
該少なくとも２つのリソースプールのうちの、対応する受信電力分散度が第六閾値以下であるリソースプールから該ターゲットリソースプールを決定すること、又は
該少なくとも２つのリソースプールのうちの、対応する伝送されたブロックのエラー率が第七閾値以下であるリソースプールから該ターゲットリソースプールを決定すること、又は
該少なくとも２つのリソースプールのうちの、対応する平均受信電力が第八閾値以下であるリソースプールから該ターゲットリソースプールを決定することを含む。
【００１１】
第一態様又は上記いずれか１つの可能な実現方式を参照して、第一態様の第四の可能な実現方式では、該少なくとも２つのリソースプールからターゲットリソースプールを決定することは、
該少なくとも２つのリソースプールのうち対応するリソース使用率の最も低いリソースプールを該ターゲットリソースプールとして決定すること、又は
該少なくとも２つのリソースプールのうち対応するリソース衝突確率の最も低いリソースプールを該ターゲットリソースプールとして決定すること、又は
該少なくとも２つのリソースプールのうちアクセスされた端末数の最も少ないリソースプールを該ターゲットリソースプールとして決定すること、又は
該少なくとも２つのリソースプールのうち対応する応答時間の最も短いリソースプールを該ターゲットリソースプールとして決定すること、又は
該少なくとも２つのリソースプールのうち対応する遅延時間の最も短いリソースプールを該ターゲットリソースプールとして決定すること、又は
該少なくとも２つのリソースプールのうち対応する該受信電力分散度の最も小さいリソースプールを該ターゲットリソースプールとして決定すること、又は
該少なくとも２つのリソースプールのうち対応する伝送されたブロックのエラー率の最も小さいリソースプールを該ターゲットリソースプールとして決定すること、又は
該少なくとも２つのリソースプールのうちの、対応する平均受信電力の最も小さいリソースプールから該ターゲットリソースプールを決定することを含む。
【００１２】
第一態様又は上記いずれか１つの可能な実現方式を参照して、第一態様の第五の可能な実現方式では、該状況パラメータが少なくとも２種のパラメータを含む場合、該少なくとも２つのリソースプールからターゲットリソースプールを決定することは、
該少なくとも２つのリソースプールのうちの、各リソースプールに対応する該少なくとも２種の状況パラメータに対して、同じ次元換算を行うことと、
該各リソースプールに対応する換算済みの該少なくとも２つの状況パラメータに対して加重処理を行うことと、
該各リソースプールに対応する、加重処理して取得された値に基づいて、該少なくとも２つのリソースプールから該ターゲットリソースプールを決定することと、を含む。
【００１３】
第一態様又は上記いずれか１つの可能な実現方式を参照して、第一態様の第六の可能な実現方式では、該少なくとも２つのリソースプールからターゲットリソースプールを決定することは、
該端末装置が該状況パラメータ、伝送対象データパケットのサイズ、該伝送対象データパケットのＱｏＳレベル、該伝送対象データパケットを伝送する送信電力及びダウンリンク経路損失のうちの少なくとも１つに基づいて、該少なくとも２つのリソースプールから該ターゲットリソースプールを決定することを含む。
【００１４】
第一態様又は上記いずれか１つの可能な実現方式を参照して、第一態様の第七の可能な実現方式では、該少なくとも２つのリソースプールから該ターゲットリソースプールを決定することは、
該端末装置がデータパケットサイズ、ＱｏＳレベル、送信電力及びダウンリンク経路損失のうちの少なくとも１つと状況パラメータの数値範囲との対応関係、並びに該伝送対象データパケットのサイズ、該伝送対象データパケットのＱｏＳレベル、該伝送対象データパケットを伝送する送信電力及びダウンリンク経路損失のうちの少なくとも１つに基づいて、該伝送対象データパケットに対応する状況パラメータの数値範囲を決定することと、
該少なくとも２つのリソースプールのうちの、状況パラメータの値が該伝送対象データパケットに対応する状況パラメータの数値範囲に属するリソースプールを該ターゲットリソースプールとして決定することと、を含む。
【００１５】
第一態様の第七の可能な実現方式を参照して、第一態様の第八の可能な実現方式では、該方法は、更に、
該ネットワーク装置から送信された該対応関係を受信することを含む。
【００１６】
第一態様又は上記いずれか１つの可能な実現方式を参照して、第一態様の第九の可能な実現方式では、該方法は、更に、
該ネットワーク装置から送信された該状況パラメータを受信することを含む。
【００１７】
第一態様は通信方法を提供し、
端末装置が該端末装置とネットワーク装置との間のダウンリンク経路損失、及び選択された、データを送信するためのターゲットリソースプールに基づいて、第一送信電力を決定することと、
該端末装置が該第一送信電力に基づいて該ターゲットリソースプールにおけるリソースを利用してネットワーク装置にデータを送信することと、を含む。
【００１８】
従って、本願の実施例において、端末装置は該端末装置とネットワーク装置との間のダウンリンク経路損失、及び選択された、データを送信するためのターゲットリソースプールに基づいて送信電力を決定し、送信電力は選択されたリソースプールの具体的な状況（例えば、リソース使用状況）に合わせて決定されてもよく、それにより選択されたリソースプールにより相応しい送信電力を選択することができる。
【００１９】
第二態様を参照して、第二態様の第一の可能な実現方式では、端末装置が該端末装置とネットワーク装置との間のダウンリンク経路損失、及び選択された、データを送信するためのターゲットリソースプールに基づいて第一送信電力を決定することは、
該端末装置が該端末装置と該ネットワーク装置との間のダウンリンク経路損失に基づいて第二送信電力を決定することと、
該ターゲットリソースプールに対応する調整パラメータに基づいて該第二送信電力を調整して、該第一送信電力を取得することと、を含む。
【００２０】
第二態様の第一の可能な実現方式を参照して、第二態様の第二可能な実現方式では、該ターゲットリソースプールに対応する調整パラメータに基づいて該第二送信電力を調整して該第一送信電力を取得する前に、該方法は、更に、
リソースプールの状況パラメータと調整パラメータとの対応関係、該ターゲットリソースプールの状況パラメータに基づいて、該ターゲットリソースプールに対応する調整パラメータを決定することを含み、該状況パラメータは該リソースプールのリソース使用状況を示すことに用いられる。
【００２１】
第二態様の第二の可能な実現方式を参照して、第二態様の第三の可能な実現方式では、該方法は、更に、
該端末装置がネットワーク装置から送信された該リソースプールの状況パラメータと調整パラメータとの対応関係を受信することを含む。
【００２２】
第二態様又は上記いずれか１つの可能な実現方式を参照して、第二態様の第四の可能な実現方式では、該ターゲットリソースプールに対応する調整パラメータに基づいて該第二送信電力を調整して該第一送信電力を取得する前に、該方法は、更に、
リソースプールと調整パラメータとの対応関係に基づいて、該ターゲットリソースプールに対応する調整パラメータを決定することを含み、該状況パラメータは該リソースプールのリソース使用状況を示すことに用いられる。
【００２３】
第二態様の第四可能な実現方式を参照して、第二態様の第五可能な実現方式では、該方法は、更に、
該端末装置がネットワーク装置から送信された該リソースプールと調整パラメータとの対応関係を受信することを含む。
【００２４】
第二態様又は上記いずれか１つの可能な実現方式を参照して、第二態様の第六の可能な実現方式では、端末装置が該端末装置とネットワーク装置との間のダウンリンク経路損失、及び選択された、データを送信するためのターゲットリソースプールに基づいて第一送信電力を決定することは、
該端末装置が該ターゲットリソースプールの状況パラメータ、該端末装置と該ネットワーク装置との間のダウンリンク経路損失、及びダウンリンク経路損失と送信電力とリソースプールの状況パラメータとの三者の間の対応関係に基づいて該第一送信電力を決定することを含み、該状況パラメータは該リソースプールのリソース使用状況を示すことに用いられる。
【００２５】
第二態様の第六の可能な実現方式を参照して、第二態様の第七の可能な実現方式では、該方法は、更に、
該ネットワーク装置から送信された該ダウンリンク経路損失と送信電力とリソースプールの状況パラメータとの三者の間の対応関係を受信することを含む。
【００２６】
第二態様又は上記いずれか１つの可能な実現方式を参照して、第二態様の第八の可能な実現方式では、端末装置が該端末装置とネットワーク装置との間のダウンリンク経路損失、及び選択された、データを送信するためのターゲットリソースプールに基づいて第一送信電力を決定することは、
該端末装置が該端末装置と該ネットワーク装置との間のダウンリンク経路損失、該ターゲットリソースプール、及びダウンリンク経路損失と送信電力とリソースプールとの三者の間の対応関係に基づいて該第一送信電力を決定することを含む。
【００２７】
第二態様の第九可能な実現方式を参照して、第二態様の第十可能な実現方式では、該方法は、更に、
該ネットワーク装置から送信された該ダウンリンク経路損失と送信電力とリソースプールとの三者の間の対応関係を受信することを含む。
【００２８】
第三態様は通信方法を提供し、
端末装置が該端末装置とネットワーク装置との間のダウンリンク経路損失に基づいてターゲットリソースプールを決定することと、
該端末装置が該ターゲットリソースプールのリソースを利用してネットワーク装置と通信することと、を含む。
【００２９】
従って、本願の実施例において、端末装置はダウンリンク経路損失に基づいてターゲットリソースプールを選択することができ、それによりダウンリンク経路損失の類似する端末が同じリソースプールを選択することができ、ダウンリンク経路損失に基づいて送信電力を選択することができるため、送信電力の類似する端末が同じリソースプールを選択することができ、それにより送信電力の差が大きすぎる端末が同じリソースプールを選択することによる遠近効果を避けることができる。
【００３０】
選択肢として、端末装置がネットワーク装置との間のダウンリンク経路損失に基づいて少なくとも２つのリソースプールからターゲットリソースプールを決定することは、
該端末装置が該ネットワーク装置との間のダウンリンク経路損失、及びダウンリンク経路損失とリソースプールとの対応関係に基づいて該ターゲットリソースプールを決定することを含む。
【００３１】
選択肢として、該方法は、更に、
該ネットワーク装置から送信された該対応関係を受信することを含む。
【００３２】
第四態様は通信方法を提供し、
ネットワーク装置が少なくとも２つのリソースプールのうちの各リソースプールの状況パラメータを取得し、該状況パラメータは該リソースプールのリソース使用状況を示すことに用いられることと、
該ネットワーク装置が端末装置に該各リソースプールの状況パラメータを送信することと、を含む。
【００３３】
選択肢として、該方法は、更に、
該ネットワーク装置が該端末装置にデータパケットサイズ、ＱｏＳレベル、送信電力及びダウンリンク経路損失のうちの少なくとも１つと状況パラメータの数値範囲との対応関係を送信することを含む。
【００３４】
第五態様は通信方法を提供し、
ネットワーク装置が端末装置にダウンリンク経路損失とリソースプールとの対応関係を送信し、それにより該端末装置はネットワーク装置との間のダウンリンク経路損失、及び該対応関係に基づいてアップリンクデータを送信するためのリソースプールを決定することを含む。
【００３５】
第六態様は通信方法を提供し、
ネットワーク装置が端末装置にリソースプールと調整パラメータとの対応関係を送信し、それにより該端末装置は該対応関係、及び選択された、アップリンクデータを伝送するためのリソースプールに基づいて調整パラメータを決定し、そして決定された調整パラメータに基づいてアップリンクデータを送信する電力を調整することを含む。
【００３６】
選択肢として、該リソースプールと調整パラメータとの対応関係は該リソースプールの状況パラメータによって決定され、該状況パラメータは該リソースプールのリソース使用状況を示すことに用いられる。
【００３７】
第七態様は通信方法を提供し、
ネットワーク装置が端末装置にダウンリンク経路損失と送信電力とリソースプールとの三者の間の対応関係を送信し、それにより該端末装置はターゲットリソースプール、該端末装置と該ネットワーク装置との間のダウンリンク経路損失、及び該対応関係に基づいて該ネットワーク装置にアップリンクデータを送信する送信電力を決定することを含む。
【００３８】
選択肢として、該ダウンリンク経路損失と送信電力とリソースプールとの三者の間の対応関係は該リソースプールの状況パラメータによって決定され、該状況パラメータは該リソースプールのリソース使用状況を示すことに用いられる。
【００３９】
第八態様は通信方法を提供し、
ネットワーク装置が端末装置にリソースプールの状況パラメータと調整パラメータとの対応関係を送信し、それにより該端末装置は該対応関係、及び選択された、アップリンクデータを伝送するためのリソースプールの状況パラメータに基づいて調整パラメータを決定し、そして決定された調整パラメータに基づいてアップリンクデータを送信する電力を調整することを含む。
【００４０】
第九態様は通信方法を提供し、
ネットワーク装置が端末装置にダウンリンク経路損失と送信電力とリソースプールの状況パラメータの三者の間の対応関係を送信し、それにより該端末装置はターゲットリソースプールの状況パラメータ、該端末装置と該ネットワーク装置との間のダウンリンク経路損失、及び該対応関係に基づいて該ネットワーク装置にアップリンクデータを送信する送信電力を決定することを含む。
【００４１】
第十態様は端末装置を提供し、該端末装置は、第一態様又はそのいずれか１つの可能な実現方式、第二態様又はそのいずれか１つの可能な実現方式、又は第三態様又はそのいずれか１つの可能な実現方式における方法を実現するためのユニットを含んでもよい。
【００４２】
第十一態様はネットワーク装置を提供し、該ネットワーク装置は、第四態様〜第九態様のいずれか１つの態様、又はいずれか１つの態様のいずれか１つの可能な実現方式における方法を実現するためのユニットを含んでもよい。
【００４３】
第十二態様は端末装置を提供し、該端末装置は、命令を記憶するためのメモリと、該メモリに記憶される命令を実行するためのプロセッサと、を備え、そして、該プロセッサが該メモリに記憶される命令を実行するとき、該実行によって該プロセッサは第一態様〜第三態様のいずれか１つの態様、又はいずれか１つの態様のいずれか１つの可能な実現方式における方法を実現することに用いられる。
【００４４】
第十三態様はネットワーク装置を提供し、該ネットワーク装置は命令を記憶するためのメモリと、該メモリに記憶される命令を実行するためのプロセッサと、を備え、該プロセッサが該メモリに記憶される命令を実行するとき、該実行によって該プロセッサは第四態様〜第九態様のいずれか１つの態様、又はいずれか１つの態様のいずれか１つの可能な実現方式における方法を実現することに用いられる。
【００４５】
第十四態様は記憶媒体を提供し、該記憶媒体には第一態様〜第三態様のいずれか１つの態様、又はいずれか１つの態様のいずれか１つの可能な実現方式における方法を実行することを指示するためのプログラムコードが記憶される。
【００４６】
第十五態様は記憶媒体を提供し、該記憶媒体には第四態様〜第九態様のいずれか１つの態様、又はいずれか１つの態様のいずれか１つの可能な実現方式における方法を実行することを指示するためのプログラムコードが記憶される。
【００４７】
本願の実施例の技術案をより明確に説明するために、以下は実施例又は従来技術の記述において使用必要な図面について簡単に説明するが、明らかに、以下に説明する図面は単に本願の幾つかの実施例であって、当業者であれば、創造的な労力を払わない前提で、これらの図面に基づいて他の図面に想到しうる。
【図面の簡単な説明】
【００４８】
【図１】本願の実施例に係る応用シーンの図である。
【図２】本願の実施例に係る通信方法の模式的なフローチャートである。
【図３】本願の実施例に係る通信方法の模式的なフローチャートである。
【図４】本願の実施例に係る通信方法の模式的なフローチャートである。
【図５】本願の実施例に係る通信方法の模式的なフローチャートである。
【図６】本願の実施例に係る通信方法の模式的なフローチャートである。
【図７】本願の実施例に係る通信方法の模式的なフローチャートである。
【図８】本願の実施例に係る通信装置の模式的なブロック図である。
【図９】本願の実施例に係る通信装置の模式的なブロック図である。
【発明を実施するための形態】
【００４９】
以下、本願の実施例の図面を参照しながら、本願の実施例の技術案を明確且つ完全に説明し、明らかに、説明される実施例は本願の実施例の一部であり、実施例の全てではない。本願の実施例に基づき、当業者が創造的な労働を払わない前提で得られた他の実施例は、いずれも本願の保護範囲に属する。
【００５０】
本明細書における具体例は当業者が本願の実施例を理解するためのものであって、本願の実施例の範囲を制限するためのものではないと理解すべきである。
【００５１】
更に、本願の各実施例において、各過程の番号は実行順序を示さず、各過程の実行順序はその機能及び内部論理によって決定されるべきであり、本願の実施例の実施過程を限定するためのものではないと理解すべきである。
【００５２】
本明細書に使用される用語「部材」、「モジュール」、「システム」等はコンピュータに関わるエンティティ、ハードウェア、ファームウェア、ハードウェアとソフトウェアの組み合わせ、ソフトウェア、又は実行中のソフトウェアを示すことに用いられる。例えば、部材はプロセッサの実行しているプロセス、プロセッサ、オブジェクト、実行可能なファイル、実行するスレッド、プログラム及び／又はコンピュータであってもよいが、それらに限らない。図示において、コンピューティングデバイスの実行しているアプリケーション及びコンピューティングデバイスはいずれも部材であってもよい。１つ又は複数の部材がプロセス及び／又は実行するスレッドに滞在してもよく、部材が１つのコンピュータにあってもよく、及び／又は２つ以上のコンピュータの間に分布してもよい。また、これらの部材は様々なデータ構造が記憶される様々なコンピュータ可読媒体で実行されてもよい。部材は、例えば１つ又は複数のデータグループ（例えばローカルシステム、分散システム及び／又はネットワークの間の他の部材とインタラクションする２つの部材からのデータ、例えば信号によって他のシステムとインタラクションするインターネット）を有する信号に基づいてローカル及び／又は遠隔プロセスによって通信してもよい。
【００５３】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システム等に適用されてもよいと理解すべきである。
【００５４】
本願は端末装置を含めて各実施例を説明した。その端末装置はユーザー装置（ＵＥ：Ｕｓｅｒ  Ｅｑｕｉｐｍｅｎｔ）、アクセス端末、ユーザー要素、加入者ステーション、移動局、トラバーサー、遠隔局、遠隔端末、携帯装置、ユーザー端末、端末、無線通信装置、ユーザーエージェント又はユーザー装置を指してもよい。アクセス端末はセルラー方式の電話、コードレスホン、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展するＰＬＭＮネットワークにおける端末装置等であってもよい。
【００５５】
本願はネットワーク装置を含めて各実施例を説明した。そのネットワーク装置は端末装置と通信するための装置であってもよく、例えば、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は該ネットワーク装置は中継局、アクセスポイント、車載装置、ウェアラブルデバイス及び将来の５Ｇネットワークにおけるネットワーク側装置又は将来発展するＰＬＭＮネットワークにおけるネットワーク装置等であってもよい。
【００５６】
接続が多く存在するため、将来の無線通信システムと従来の通信システムとは大きく異なる。多く接続するために、ＵＥにアクセスするためにはより多くのリソースが必要となり、且つ端末装置のデータ伝送に関わるスケジューリングシグナリングを伝送するためにもより多くのリソースが必要となる。
【００５７】
図１に本願の実施例の通信システムの模式的なフレームワーク図を示す。図１に示すように、該通信システム１００は無線接続、有線接続又は他の方式で接続されるネットワーク装置１０２及び端末装置１０４〜１１４（図中、ＵＥと略称される）を含んでもよい。
【００５８】
本願の実施例におけるネットワークは公衆移動通信ネットワーク（ＰＬＭＮ：Ｐｕｂｌｉｃ  Ｌａｎｄ  Ｍｏｂｉｌｅ  Ｎｅｔｗｏｒｋ）、Ｄ２Ｄネットワーク、Ｍ２Ｍネットワーク又は他のネットワークを指してもよく、図１は例を挙げるための概略模式図に過ぎず、ネットワークに更に他のネットワーク装置が含まれてもよく、図１に図示されていない。
【００５９】
本願は競争に基づく伝送方式を提案する。競争に基づく伝送は将来のネットワークにおける多くのＭＴＣタイプのサービスを実現し、且つ低遅延、高信頼性のサービス伝送を実現することができる。競争に基づく伝送はアップリンクデータ伝送に対してもよい。当業者であれば、競争に基づく伝送は他の名称、例えば自発的なアクセス、自発的な多重アクセス、又は許可不要伝送等と称されてもよいことを理解しうる。競争に基づく伝送は、
1、ネットワーク装置が端末装置に複数の伝送リソースを予め割り当てて通知し、端末装置はアップリンクデータを伝送する必要があるとき、ネットワーク装置より予め割り当てた複数の伝送リソースから少なくとも１つの伝送リソースを選択し、選択した伝送リソースを利用してアップリンクデータを送信し、ネットワーク装置は前記予め割り当てた複数の伝送リソースのうちの１つ又は複数の伝送リソースで端末装置から送信されたアップリンクデータを検出し、前記検出はブラインド検出であってもよいし、前記アップリンクデータ中の１つの制御ドメインに基づいて行った検出、又は他の方式で行った検出であってもよいという意味、
2、ネットワーク装置が端末装置に複数の伝送リソースを予め割り当てて通知することにより、端末装置はアップリンクデータを伝送する必要があるとき、ネットワーク装置より予め割り当てた複数の伝送リソースから少なくとも１つの伝送リソースを選択し、選択した伝送リソースを利用してアップリンクデータを送信するという意味、
3、予め割り当てられた複数の伝送リソース情報を取得し、アップリンクデータを伝送する必要があるとき、前記複数の伝送リソースから少なくとも１つの伝送リソースを選択し、選択した伝送リソースを利用してアップリンクデータを送信し、取得方式はネットワーク装置から取得するのであってもよいという意味、
4、ネットワーク装置の動的にスケジューリングを必要とせずに端末装置のアップリンクデータ伝送を実現する方法であって、前記動的スケジューリングはネットワーク装置が端末装置の各回のアップリンクデータ伝送のために、シグナリングで伝送リソースを指示するスケジューリング方式を指してもよく、選択肢として、ネットワーク装置の動的スケジューリングを必要とせずに、というのは、静的及び／又は半静的スケジューリング（本願の実施例に言及される「Ａ及び／又はＢ」は、「Ａ及びＢ」又は「Ａ」又は「Ｂ」を示し、繰り返し説明しない）を行うことだと理解されてもよいという意味、
5、端末装置がネットワーク装置の許可を必要とせずにアップリンクデータ伝送を行い、前記許可とは端末装置がアップリンクスケジューリング要求をネットワーク装置に送信し、ネットワーク装置はスケジューリング要求を受信すると、端末装置にアップリンク許可を送信すし、前記アップリンク許可は端末装置に割り当てられたアップリンク伝送リソースを指示するという意味、  
6、具体的に、基地局の許可を必要とせずに、複数の端末が予め割り当てられた同じ時間周波数リソースでアップリンクデータ伝送を同時に行うという意味、
のいずれか１つ、複数、又はその複数意味中の一部技術的特徴の組み合わせを含むが、それらに限らないと理解されてもよい。
【００６０】
前記データはサービスデータ又はシグナリングデータを含んでもよい。
【００６１】
前記ブラインド検出は、到着したデータがあるかどうかを予知せずに到着可能性のあるデータに対して行った検出であると理解されてもよい。前記ブラインド検出は、更に、明示的なシグナリングが指示されない場合の検出であると理解されてもよい。
【００６２】
前記伝送リソースは無線フレーム、サブフレーム、符号等の時間領域リソース、サブキャリア、リソースブロック等の周波数領域リソース、送信アンテナ、ビーム等の空域リソース、スパースコード多重アクセス（ＳＣＭＡ：Ｓｐａｒｓｅ  Ｃｏｄｅ  Ｍｕｌｔｉｐｌｅ  Ａｃｃｅｓｓ）コードブックグループ、低密度シグネチャ（ＬＤＳ：Ｌｏｗ  Ｄｅｎｓｉｔｙ  Ｓｉｇｎａｔｕｒｅ）グループ、ＣＤＭＡコードグループ等のコードドメインリソース、アップリンクパイロットリソース、混合リソース、チャネル符号化方式、のうちの１つ又は複数の組み合わせを含んでもよいが、それらに限らない。
【００６３】
以上のような伝送リソースは、アップリンク送信電力上限制御等のアップリンク電力制御、伝送ブロックのサイズ、コードレート、変調次数の設定等の変調符号化方式の設定、ＨＡＲＱメカニズム等の再伝送メカニズムを含むが、それらに限らない制御メカニズムに基づいて伝送されてもよい。
【００６４】
選択肢として、本願の実施例において、ネットワーク装置は複数のリソースプールを放送することができ、端末装置は放送された複数のリソースプールからターゲットリソースプールを選択して、且つターゲットリソースプールから伝送リソースを選択して通信することができる。しかしどのようにリソースプールを選択するかは、緊急に解決すべき問題である。
【００６５】
図２は本願の実施例に係る通信方法２００の模式的なフローチャートである。図２に示すように、該方法２００は以下の２１０と２２０を含む。
【００６６】
２１０において、端末装置は少なくとも２つのリソースプールのうちの各リソースプールの状況パラメータに基づいて該少なくとも２つのリソースプールからターゲットリソースプールを決定し、該状況パラメータはリソースプールのリソース使用状況を示すことに用いられ、且つリソースプールの提供できるサービス品質を判断することができる。
【００６７】
選択肢として、本願の実施例において、ネットワーク装置は各リソースプールの状況パラメータを放送することができ、それにより端末装置はネットワーク装置の放送する該状況パラメータに基づいてターゲットリソースプールを選択することができる。
【００６８】
選択肢として、ネットワーク装置は各リソースプールの状況パラメータを周期的に放送することができる。又は、ネットワーク装置はあるリソースプールの状況パラメータの値の変化が一定値より大きいとき、該リソースプールの状況パラメータを放送することができる。
【００６９】
２２０において、該端末装置は該ターゲットリソースプールのリソースを利用してネットワーク装置と通信する。
【００７０】
選択肢として、リソースプールの状況パラメータはリソースプールのリソース使用率を含んでもよい。該使用率はリソースプールにおけるリソースが占有された比率を指してもよく、該使用率は一定時間内に統計したリソース使用率、例えば、一分間内に統計したリソース使用率を指してもよい。
【００７１】
選択肢として、リソースの占有率を統計するとき、時間領域の最小単位は無線フレーム、サブフレーム、タイムスロット又は直交周波数分割多重技術（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよく、周波数領域の最小単位はサブキャリアであってもよく、例えば、時間領域の最小単位がタイムスロットであるとき、該タイムスロットのいずれか１つのＯＦＤＭシンボルが占有された場合、該ＯＦＤＭシンボルが占有されたと見なされる。
【００７２】
選択肢として、リソースプールの状況パラメータはリソース衝突確率を含んでもよい。該リソース衝突確率はリソースプールにおける衝突が発生したリソースの比率を指してもよく、衝突とは複数のリソースが同じリソースを選択してアップリンク伝送を行うことを意味する。該リソース衝突確率は一定時間内に統計したリソース衝突確率、一分間内に統計したリソース使用率を指してもよい。
【００７３】
類似的に、リソース衝突確率を統計するとき、時間領域の最小単位は無線フレーム、サブフレーム、タイムスロット又はＯＦＤＭシンボルであってもよく、周波数領域の最小単位はサブキャリアであってもよく、例えば、時間領域の最小単位がサブフレームであるとき、該サブフレームにおけるいずれか１つのタイムスロットに衝突が発生すれば、該サブフレームに衝突が発生したと見なされる。
【００７４】
選択肢として、リソースプールの状況パラメータはリソースプールにおけるアクセスされた端末数を含んでもよく、該端末数量は端末装置の検出できる端末総数を指してもよく、データ伝送に成功した端末を含んでもよく、衝突が発生した端末を識別できる場合、該端末総数は更に識別できる衝突が発生した端末の数を含んでもよい。
【００７５】
選択肢として、リソースプールの状況パラメータはリソースプールにおけるリソースを利用して伝送したデータの遅延情報を含んでもよく、該遅延情報は複数の端末装置がリソースプールにおけるリソースを利用して伝送したデータの平均遅延であってもよく、各端末装置に対応する遅延は該端末装置があるデータパケットを送信する時から該データパケットが成功に受信された時までの時間であってもよく、該データパケットの初回送信が失敗した場合、ネットワーク装置が該データパケットを成功に受信するまで、該データパケットを送信し続けることができる。
【００７６】
選択肢として、リソースプールの状況パラメータはリソースプールにおけるリソースを利用して伝送したデータに対するネットワーク装置の応答時間情報を含んでもよく、応答時間情報は複数の端末装置に対応する応答時間の平均値を含んでもよく、各端末装置に対応する応答時間は端末装置があるデータパケットを初めて送信する時間からネットワーク装置が該データパケットの送信成功／又は受信失敗を示す時間までの時間であってもよい。
【００７７】
選択肢として、リソースプールの状況パラメータはリソースプールにおけるリソース受信電力情報を含んでもよい。
【００７８】
選択肢として、該リソース受信電力情報はリソースプールにおけるリソースの平均受信電力、又はリソースプールにおけるリソースの受信電力の分散度情報であってもよい。
【００７９】
該リソースの受信電力の分散度情報はリソースプールにおけるリソースの受信電力の平均二乗偏差を含んでもよく、
又は、該リソースの受信電力の分散度情報は相互間の受信電力差が予定値より大きいリソースの比率等を含んでもよい。
【００８０】
例えば、あるリソースプールにおいて、リソースの受信電力が２０ｄＢを超えるリソースの比率が１０％であり、受信電力が１０ｄＢ未満のリソースの比率が１２％である場合、相互間受信電力差が１０ｄＢを超えるリソースの比率は２２％である。
【００８１】
選択肢として、リソースプールの状況パラメータはリソースプールにおけるリソースを利用して伝送したブロックのエラー率、例えば、ＢＬＥＲ（Ｂｌｏｃｋ  ｅｒｒｏｒ）を含んでもよい。
【００８２】
以上はリソースプールの様々な状況パラメータを説明したが、本願の実施例はこれに限らず、リソースプール使用状況についての如何なる情報はいずれも本願の実施例に言及される状況パラメータに属してもよいと理解すべきである。
【００８３】
更に、端末装置は上記言及された１つ種類の状況パラメータを利用して複数のリソースプールからターゲットリソースプールを選択してもよいし、上記言及された少なくとも２つ種類の状況パラメータを組み合わせて利用することによって複数のリソースプールからターゲットリソースプールを選択してもよいと理解すべきである。
【００８４】
端末装置が具体的にどの状況パラメータを利用するかは、現在伝送するサービスの種類によって決定されてもよく、例えば、現在のサービス種類は遅延に対する要求がより高い場合、最短遅延のリソースプールを選択してもよく、また、例えば、現在のサービス種類は伝送成功率に対する要求がより高い場合、最小分散度のリソースプール又は最小エラー率のリソースプールを選択してもよい。
【００８５】
更に、端末装置が上記言及された状況パラメータを利用して複数のリソースプールからターゲットリソースプールを選択することは、上記状況パラメータを直接利用して複数のリソースプールからターゲットリソースプールを選択することであってもよいし、該状況パラメータを利用して取得された他の値に基づいて、ターゲットリソースプールを選択し、例えば、リソース使用率及びリソース衝突確率に基づいてターゲットリソースプールを決定することは、リソース使用率とリソース衝突確率の和（ネットワーク装置は端末装置にリソース使用率とリソース衝突確率の和ができる）に基づいてターゲットリソースプールを決定することであってもよいと理解すべきである。
【００８６】
本願をより明確に理解してもらうために、以下、どのように少なくとも２つのリソースプールのうちの各リソースプールの状況パラメータに基づいて該少なくとも２つのリソースプールからターゲットリソースプールを選択するかを具体的に結合する。
【００８７】
例えば、端末装置はリソース使用率のより低いリソースプールを選択することができる。具体的に、リソース使用率の最も低いリソースプールをターゲットリソースプールとして決定し、又はリソース使用率が予定閾値以下であるリソースプールからターゲットリソースプールを選択することができる。
【００８８】
例えば、端末装置はリソース衝突確率のより低いリソースプールを選択することができる。具体的に、リソース衝突確率の最も低いリソースプールをターゲットリソースプールとして決定し、又はリソース衝突確率が予定閾値以下であるリソースプールからターゲットリソースプールを選択することができる。
【００８９】
例えば、端末装置はリソースプールにおけるアクセスされた端末数のより少ないリソースプールを選択することができる。具体的に、アクセスされた端末数の最も少ないリソースプールをターゲットリソースプールとして決定し、又はアクセスされた端末数が予定閾値以下であるリソースプールからターゲットリソースプールを選択することができる。
【００９０】
例えば、端末装置は遅延のより短いリソースプールを選択することができる。具体的に、最短遅延に対応するリソースプールをターゲットリソースプールとして決定し、又は対応する遅延が予定閾値以下であるリソースプールからターゲットリソースプールを選択することができる。
【００９１】
例えば、端末装置は応答時間のより短いリソースプールを選択することができる。具体的に、応答時間最短のリソースプールをターゲットリソースプールとして決定し、又は応答時間が予定閾値以下であるリソースプールからターゲットリソースプールを選択することができる。
【００９２】
例えば、端末装置はエラー率のより小さいリソースプールを選択することができる。具体的に、エラー率最小のリソースプールをターゲットリソースプールとして決定し、又はエラー率が予定閾値以下であるリソースプールからターゲットリソースプールを選択することができる。
【００９３】
例えば、端末装置は受信電力分散度のより小さいリソースプールを選択することができる。具体的に、受信電力分散度最小のリソースプールをターゲットリソースプールとして決定し、又は受信電力分散度が予定閾値以下であるリソースプールからターゲットリソースプールを選択することができる。
【００９４】
例えば、端末装置は平均受信電力のより小さいリソースプールを選択することができる。具体的に、平均受信電力最小のリソースプールをターゲットリソースプールとして選択し、又は受信電力が予定閾値以下であるリソースプールからターゲットリソースプールを選択することができる。
【００９５】
選択肢として、本願の実施例において、端末装置が少なくとも２つの状況パラメータを考慮するとき、前記少なくとも２つのリソースプールのうちの各リソースプールに対応する少なくとも２種の状況パラメータに対して同じ次元換算を行い、前記各リソースプールに対応する換算済みの同じ次元の少なくとも２種の状況パラメータに対して加重処理を行い、前記各リソースプールに対応する加重処理により取得された値に基づいて、前記少なくとも２つのリソースプールから前記ターゲットリソースプールを決定する。
【００９６】
例えば、端末装置がリソース使用率及び応答時間を考慮して、ターゲットリソースプールを選択する場合、リソース使用率に応じて各リソースプールのリソース使用率を０〜１００の数値に換算し、各リソースプールの応答時間を０〜１００の数値に換算して、換算済みのリソース使用率及び応答時間に対して加重処理を行い、加重処理済みの値に基づいて複数のリソースプールからターゲットリソースプールを選択することができ、例えば、加重処理済みの値の最も小さいリソースプールをターゲットリソースプールとして決定することができ、実際の状況に応じて、各状況パラメータに対応する重み値を決定してもよい。
【００９７】
選択肢として、本願の実施例において、リソースプールの状況パラメータを利用するとともに、端末装置は伝送対象データパケットのサイズ、伝送対象データパケットのサービス品質（Ｑｕａｌｉｔｙ  ｏｆ  Ｓｅｒｖｉｃｅ、ＱｏＳ）、伝送対象データパケットの送信電力、及び端末装置とネットワーク装置との間のダウンリンク経路損失（ｐａｓｓ  ｌｏｓｓ）のうちの少なくとも１つに基づいてターゲットリソースプールを決定することができる。
【００９８】
選択肢として、本願の実施例において、データパケットのサイズ、データパケットのＱｏＳレベル、送信電力及びダウンリンク経路損失のうちの少なくとも１つと状況パラメータの値範囲との対応関係に基づいて、伝送対象データパケットのサイズ、伝送対象データパケットのＱｏＳ、伝送対象データパケットの送信電力及び端末装置とネットワーク装置との間のダウンリンク経路損失のうちの少なくとも１つに対応する状況パラメータの数値範囲を決定し、状況パラメータの値が該数値範囲に属するリソースプールをターゲットリソースプールとして決定することができる。
【００９９】
例えば、リソース使用率又は衝突確率          データパケットサイズ
ｍ  １                            ｓｉｚｅ  １
ｍ  ２                            ｓｉｚｅ  ２
…                                  …
ｍ  ｉ                            ｓｉｚｅ  ｉ
…                                  …
【０１００】
上記対応関係の意味は、データパケットサイズがｓｉｚｅ  ｉより大きい場合、リソース使用率がｍ  ｉ以下でなければならないということであってもよく、データパケットサイズは降順に配列されており、リソース使用率又は衝突確率は昇順に配列されている。
【０１０１】
更に、例えば、伝送遅延又は応答時間          データパケットサイズ
Ｔ  １                      ｃｌａｓｓ  １
Ｔ  ２                      ｃｌａｓｓ  ２
…                            …
Ｔ  ｉ                      ｃｌａｓｓ  ｉ
…                            …
【０１０２】
上記対応関係の意味は、データパケットのＱｏＳレベルがｃｌａｓｓ  ｉである場合、伝送遅延又は応答時間がＴ  ｉ以下でなければならないということであってもよく、ＱｏＳレベルは降順に配列されており、伝送遅延／応答時間は昇順に配列されている。
【０１０３】
更に、例えば、平均受信電力          ＱｏＳレベル
Ｐ１                ｃｌａｓｓ  １
Ｐ２                ｃｌａｓｓ  ２
…                    …
Ｐｉ                ｃｌａｓｓ  ｉ
…                    …
【０１０４】
上記対応関係の意味は、データパケットのＱｏＳレベルがｃｌａｓｓ  ｉである場合、平均受信電力がＴ  ｉ以下でなければならないということであってもよく、ＱｏＳレベルは降順に配列されており、平均受信電力は昇順に配列されている。
【０１０５】
更に、例えば    伝送されたブロックのエラー率          ＱｏＳレベル
Ｂ１                                ｃｌａｓｓ  １
Ｂ２                                ｃｌａｓｓ  ２
…                                    …
Ｂｉ                                ｃｌａｓｓ  ｉ
…                                    …
【０１０６】
上記対応関係の意味は、データパケットのＱｏＳレベルがｃｌａｓｓ  ｉである場合、伝送されたブロックのエラー率がＴ  ｉ以下でなければならないということであってもよく、ＱｏＳレベルは降順に配列されており、伝送されたブロックのエラー率は昇順に配列されている。
【０１０７】
選択肢として、本願の実施例において、データパケットのサイズ及びデータパケットのＱｏＳレベルと状況パラメータとは以下の関係を有してもよい。
【０１０８】
例えば、リソース使用率がデータパケットのサイズに負相関する。
【０１０９】
例えば、リソース衝突確率がデータパケットのサイズに負相関する。
【０１１０】
例えば、リソースプールにおけるアクセスされた端末データがデータパケットのサイズに負相関する。
【０１１１】
例えば、リソース使用率がデータパケットのＱｏＳレベルのサイズに負相関する。
【０１１２】
例えば、リソース衝突確率がデータパケットのＱｏＳレベルのサイズに負相関する。
【０１１３】
例えば、リソースプールにおけるリソースを利用して伝送したデータの遅延がデータパケットのＱｏＳレベルに負相関する。
【０１１４】
例えば、リソースプールにおけるアクセスされた端末データがデータパケットのＱｏＳレベルサイズに負相関する。
【０１１５】
例えば、ネットワーク装置のリソースプールにおけるリソースを利用して伝送したデータに対する応答時間がデータパケットのＱｏＳレベルに負相関する。
【０１１６】
例えば、リソースプールにおけるリソースを利用して伝送したブロックのエラー率がデータパケットのＱｏＳレベルに負相関する。
【０１１７】
例えば、リソースプールにおけるリソースの受信電力の分散度がデータパケットのＱｏＳレベルに負相関する。
【０１１８】
例えば、リソースプールにおけるリソースの平均受信電力がデータパケットのＱｏＳレベルに負相関する。本願の実施例において、ＡがＢに負相関するのは他の要素を考慮しないと仮定する（考慮しないことではなく、ここではただ1つの仮定に過ぎない）場合の、ＡとＢとの関連性を指してもよく、負相関とは、Ａが大きければ大きいほど、Ｂが小さくなることを意味し、ＡがＢに負相関するのは値範囲の間の関連性を指してもよく、例えば、Ａの値範囲が［ａ  ｂ］、［ｃ  ｄ］であり、ｂがｃより大きく、［ａ  ｂ］に対応するＢの値（又は値範囲内の値）が［ｃ  ｄ］に対応するＢの値（又は値範囲内の値）より大きいと理解すべきである。
【０１１９】
選択肢として、図３に示すように、本願の実施例において、ネットワーク装置は端末装置にリソースプールの状況パラメータ及び／又はデータパケットのサイズ、データパケットのＱｏＳ、送信電力及びダウンリンク経路損失のうちの少なくとも１つと状況パラメータの値範囲との対応関係を送信することができ、それにより端末装置はネットワーク装置から送信された該状況パラメータ及び／又は該対応関係に基づいて、少なくとも２つのリソースプールからターゲットリソースプールを選択することができる。
【０１２０】
図３に示すステップ２３０及び２４０は一方のみが存在してもよいし、両方いずれも存在してもよいと理解すべきである。
【０１２１】
従って、本願の実施例において、端末装置はリソースプールのリソース使用状況に基づいて少なくとも２つのリソースプールからターゲットリソースプールを決定し、それによりリソースプールの具体的な使用状況に基づいてターゲットリソースプールを選択することができ、競争に基づく伝送過程において、他の端末装置に影響を与えることをできる限り避け、又は他の端末装置が自体のデータ伝送に影響を与えることを避けることができる。
【０１２２】
図４は本願の実施例に係る通信方法３００の模式的なフローチャートである。図４に示すように、該方法は以下の３１０と３２０を含む。
【０１２３】
３１０において、端末装置は該端末装置とネットワーク装置との間のダウンリンク経路損失、及び選択された、データを送信するためのターゲットリソースプールに基づいて第一送信電力を決定する。
【０１２４】
３２０において、端末装置は該第一送信電力に基づいて前記ターゲットリソースプールにおけるリソースによってネットワーク装置にデータを送信する。
【０１２５】
選択肢として、本願の実施例において、端末装置は該端末装置と該ネットワーク装置との間のダウンリンク経路損失に基づいて第二送信電力を決定し、該ターゲットリソースプールに対応する調整パラメータに基づいて該第二送信電力を調整して、該第一送信電力を取得する。
【０１２６】
選択肢として、本願の実施例において、端末装置はリソースプールと調整パラメータとの対応関係に基づいて、該ターゲットリソースプールに対応する調整パラメータを決定することができる。
【０１２７】
例えば、リソースプール１に対応する調整パラメータが１０ｄｂであり、リソースプール２に対応する調整パラメータが３０ｄｂであり、リソースプール３に対応する調整パラメータが−１０ｄｂである場合、端末装置が経路損失に基づいて取得した送信電力は７０ｄｂであり、リソースプール１を選択する場合、端末装置がアップリンクデータを送信するための送信電力は８０ｄｂであり、リソースプール２を選択する場合、端末装置がアップリンクデータを送信するための送信電力は１００ｄｂであり、リソースプール３を選択する場合、端末装置がアップリンクデータを送信するための送信電力は６０ｄｂである。
【０１２８】
選択肢として、本願の実施例において、図５に示すように、ネットワーク装置は端末装置に該リソースプールと調整パラメータとの対応関係を送信することができる（３３０）場合、端末装置はネットワーク装置から送信された対応関係に基づいて送信電力を調整するための調整パラメータを決定することができる。
【０１２９】
選択肢として、リソースプールと調整パラメータとの対応関係は、ネットワーク装置がリソースプールの状況パラメータ、例えばリソースプールのリソース使用率及びリソース衝突確率等に基づいて決定してもよい。
【０１３０】
例えば、リソース使用率が３０％以下のリソースプールは、調整パラメータは０ｄｂであり、リソース使用率が５０％以下且つ３０％を超えるリソースプールは、調整パラメータは１０ｄｂであり、リソース使用率が５０％を超えるリソースプールは、調整パラメータは３０ｄｂであり、端末装置が該経路損失に基づいて送信電力を決定した後、決定された送信電力から該調整パラメータを引いてもよい。
【０１３１】
選択肢として、本願の実施例において、端末装置はリソースプールの状況パラメータと調整パラメータとの対応関係、及びターゲットリソースプールの状況パラメータに基づいて、ターゲットリソースプールに対応する調整パラメータを決定することができる。
【０１３２】
例えば、端末装置がリソースプール２を選択し、該リソースプール２のリソース使用率が５０％以上且つ３０％を超える場合、端末装置は該使用率にマッチングする調整パラメータ、例えば１０ｄｂを選択することができ、このような場合、端末装置はダウンリンク経路損失に基づいて取得した送信電力から１０ｄｂを引いて、最終の送信電力を取得することができる。
【０１３３】
選択肢として、図５に示すように、ネットワーク装置は端末装置にリソースプールの状況パラメータ、及びリソースプールの状況パラメータと調整パラメータとの対応関係を送信することができる（３４０）。
【０１３４】
選択肢として、本願の実施例において、該端末装置は該ターゲットリソースプール、該端末装置と該ネットワーク装置との間のダウンリンク経路損失、及びリソースプールとダウンリンク経路損失と送信電力との三者の間の対応関係に基づいて該第一送信電力を決定する。
【０１３５】
具体的には、異なるリソースプールは異なるダウンリンク経路損失と送信電力との対応関係に対応してもよく、端末装置はターゲットリソースプールを選択した後、該ターゲットリソースプールに基づいて該ターゲットリソースプールに対応するダウンリンク経路損失と送信電力との対応関係を決定することができ、それにより、決定された該ダウンリンク経路損失と送信電力との対応関係、及び決定されたダウンリンク経路損失に基づいて送信電力を決定することができる。
【０１３６】
換言すれば、同じダウンリンク経路損失の場合、異なるリソースプールが異なる送信電力に対応してもよい。
【０１３７】
例えば、同じ経路損失の場合、リソースプール１に対応する送信電力がリソースプール２の送信電力より小さい。
【０１３８】
選択肢として、リソースプールとダウンリンク経路損失と送信電力との三者の間の対応関係は、ネットワーク装置がリソースプールの状況パラメータ、例えばリソースプールのリソース使用率及び衝突確率に基づいて決定してもよい。
【０１３９】
例えば、リソースプール１のリソース使用率が７０％であり、リソースプール２の使用率が３０％であると、同じ経路損失の場合、基地局がリソースプール１に割り当てた送信電力はリソースプール２に割り当てた送信電力より小さい。
【０１４０】
選択肢として、本願の実施例において、図５に示すように、ネットワーク装置は端末装置にリソースプールとダウンリンク経路損失と送信電力との三者の間の対応関係を送信することができる（３５０）。
【０１４１】
選択肢として、本願の実施例において、端末装置は該ターゲットリソースプールの状況パラメータ、該端末装置と該ネットワーク装置との間のダウンリンク経路損失、及びダウンリンク経路損失と送信電力とリソースプールの状況パラメータとの三者の間の対応関係に基づいて該第一送信電力を決定する。
【０１４２】
具体的には、リソースプールの異なる状況パラメータの値（又は範囲）は異なるダウンリンク経路損失と送信電力との対応関係に対応し、端末装置はターゲットリソースプールの状況パラメータに基づいてダウンリンク経路損失と送信電力との対応関係を選択することにより、決定された該ダウンリンク経路損失と送信電力との対応関係、決定されたダウンリンク経路損失に基づいて送信電力を決定することができる。
【０１４３】
換言すれば、同じダウンリンク経路損失の場合、異なるリソースプールの状況パラメータの値（又は範囲）が異なる送信電力に対応してもよい。
【０１４４】
リソースプール１のリソース使用率が７０％であり、リソースプール２の使用率が３０％であると、同じ経路損失の場合、リソースプール１に対応する送信電力がリソースプール２に対応する送信電力より小さい。
【０１４５】
選択肢として、本願の実施例において、図５に示すように、ネットワーク装置は端末装置にダウンリンク経路損失と送信電力とリソースプールの状況パラメータとの三者の間の対応関係、及びリソースプールの状況パラメータを送信することができる（３６０）。
【０１４６】
図５に示すステップ３３０−３６０は一方のみが存在してもよいし、両方いずれも存在してもよく、又は一部存在してもよいと理解すべきである。
【０１４７】
従って、本願の実施例において、端末装置は該端末装置とネットワーク装置との間のダウンリンク経路損失、及び選択された、データを送信するためのターゲットリソースプールに基づいて送信電力を決定し、送信電力の決定は選択されたリソースプールの具体的な状況（例えば、リソース使用状況）を参照してもよく、それにより選択されたリソースプールに適用する送信電力を選択することができる。
【０１４８】
図６は本願の実施例に係る通信方法４００の模式的なフローチャートである。図６に示すように、該通信方法４００は以下の４１０と４２０を含む。
【０１４９】
４１０において、端末装置は該端末装置とネットワーク装置との間のダウンリンク経路損失に基づいてターゲットリソースプールを決定する。
【０１５０】
該端末装置は該ネットワーク装置との間のダウンリンク経路損失、及びダウンリンク経路損失とリソースプールとの対応関係に基づいて該ターゲットリソースプールを決定する。
【０１５１】
例えば、リソースプール１は、対応する経路損失が−２０〜−３０ｄＢであり、リソースプール２は、対応する経路損失が−３０〜−４０ｄＢである。そうすると、ダウンリンク経路損失が−２０〜−３０ｄＢである端末装置はリソースプール１を選択することができ、ダウンリンク経路損失が−３０〜−４０ｄＢである端末装置はリソースプール２を選択することができる。
【０１５２】
選択肢として、図７に示すように、ネットワーク装置は端末装置にダウンリンク経路損失とリソースプールとの対応関係を送信することができる（４３０）。それにより、端末装置は該対応関係を利用してターゲットリソースプールを決定することができる。
【０１５３】
４２０において、該端末装置は該ターゲットリソースプールのリソースを利用してネットワーク装置と通信する。
【０１５４】
従って、本願の実施例において、端末装置はダウンリンク経路損失に基づいてターゲットリソースプールを選択することができ、それによりダウンリンク経路損失の類似する端末が同じリソースプールを選択することができ、ダウンリンク経路損失に基づいて送信電力を選択することができるため、送信電力の類似する端末が同じリソースプールを選択することができ、それにより送信電力の差が大きすぎる端末が同じリソースプールを選択することによる遠近効果を避けることができる。
【０１５５】
図８は本願の実施例に係る通信装置５００の模式的なブロック図である。図５に示すように、該通信装置５００は決定ユニット５１０及び通信ユニット５２０を含んでもよい。
【０１５６】
選択肢として、該通信装置５００は端末装置であってもよいし、ネットワーク装置であってもよい。
【０１５７】
以下、通信装置５００が１つの端末装置である場合を例として説明する。
【０１５８】
選択肢として、決定ユニット５１０は少なくとも２つのリソースプールのうちの各リソースプールの状況パラメータに基づいて該少なくとも２つのリソースプールからターゲットリソースプールを決定することに用いられ、該状況パラメータは該リソースプールのリソース使用状況を示すことに用いられ、通信ユニット５２０は該ターゲットリソースプールのリソースを利用してネットワーク装置と通信することに用いられる。
【０１５９】
選択肢として、該状況パラメータは、該リソースプールのリソース使用率、該リソースプールのリソース衝突確率、該リソースプールにおけるアクセスされた端末数、該リソースプールのリソース受信電力情報、該リソースプールにおけるリソースを利用して伝送したデータの遅延、該リソースプールにおけるリソースを利用して伝送したデータに対するネットワーク装置の応答時間、及び該リソースプールにおけるリソースを利用して伝送したブロックのエラー率、のうちの少なくとも１つを含む。
【０１６０】
選択肢として、該リソースプールのリソース受信電力情報は、該リソースプールにおけるリソースの平均受信電力、及び該リソースプールにおけるリソースの受信電力の分散度情報のうちの少なくとも１つを含む。
【０１６１】
選択肢として、決定ユニット５１０は、更に、該少なくとも２つのリソースプールのうち対応するリソース使用率が第一閾値以下であるリソースプールから該ターゲットリソースプールを決定し、又は、該少なくとも２つのリソースプールのうち対応するリソース衝突確率が第二閾値以下であるリソースプールから該ターゲットリソースプールを決定し、又は、該少なくとも２つのリソースプールのうちアクセスされた端末数が第三閾値以下であるリソースプールから該ターゲットリソースプールを決定し、又は、該少なくとも２つのリソースプールのうち対応する応答時間が第四閾値以下であるリソースプールから該ターゲットリソースプールを決定し、又は、該少なくとも２つのリソースプールのうち対応する遅延時間が第五閾値以下であるリソースプールから該ターゲットリソースプールを決定し、又は、該少なくとも２つのリソースプールのうち対応する受信電力分散度が第六閾値以下であるリソースプールから該ターゲットリソースプールを決定し、又は、該少なくとも２つのリソースプールのうち対応する伝送されたブロックのエラー率が第七閾値以下であるリソースプールから該ターゲットリソースプールを決定し、又は、該少なくとも２つのリソースプールのうち対応する平均受信電力が第八閾値以下であるリソースプールから該ターゲットリソースプールを決定することに用いられる。
【０１６２】
選択肢として、該決定ユニット５１０は、更に、該少なくとも２つのリソースプールのうち対応するリソース使用率の最も低いリソースプールを該ターゲットリソースプールとして決定し、又は、該少なくとも２つのリソースプールのうち対応するリソース衝突確率の最も低いリソースプールを該ターゲットリソースプールとして決定し、又は、該少なくとも２つのリソースプールのうちアクセスされた端末数の最も少ないリソースプールを該ターゲットリソースプールとして決定し、又は、該少なくとも２つのリソースプールのうち対応する応答時間の最も短いリソースプールを該ターゲットリソースプールとして決定し、又は、該少なくとも２つのリソースプールのうち対応する遅延時間の最も短いリソースプールを該ターゲットリソースプールとして決定し、又は、該少なくとも２つのリソースプールのうち対応する受信電力分散度の最も小さいリソースプールを該ターゲットリソースプールとして決定し、又は、該少なくとも２つのリソースプールのうち対応する伝送されたブロックのエラー率の最も小さいリソースプールを該ターゲットリソースプールとして決定し、又は、該少なくとも２つのリソースプールのうち対応する平均受信電力の最も小さいリソースプールを該ターゲットリソースプールとして決定することに用いられる。
【０１６３】
選択肢として、該状況パラメータが少なくとも２種のパラメータを含む場合、該決定ユニット５１０は、更に、該少なくとも２つのリソースプールのうちの各リソースプールに対応する該少なくとも２種の状況パラメータに対して同じ次元換算を行い、該各リソースプールに対応する換算済みの該少なくとも２つの状況パラメータに対して加重処理を行い、該各リソースプールに対応する加重処理により取得された値に基づいて、該少なくとも２つのリソースプールから該ターゲットリソースプールを決定することに用いられる。
【０１６４】
選択肢として、該決定ユニット５１０は、更に、該状況パラメータと、伝送対象データパケットのサイズ、該伝送対象データパケットのＱｏＳレベル、該伝送対象データパケットを伝送する送信電力及びダウンリンク経路損失のうちの少なくとも１つに基づいて、該少なくとも２つのリソースプールから該ターゲットリソースプールを決定することに用いられる。
【０１６５】
選択肢として、該決定ユニット５１０は、更に、データパケットサイズ、ＱｏＳレベル、送信電力及びダウンリンク経路損失のうちの少なくとも１つと状況パラメータの数値範囲との対応関係、並びに該伝送対象データパケットのサイズ、該伝送対象データパケットのＱｏＳレベル、該伝送対象データパケットを伝送する送信電力及びダウンリンク経路損失のうちの少なくとも１つに基づいて、該伝送対象データパケットに対応する状況パラメータの数値範囲を決定し、該少なくとも２つのリソースプールのうち状況パラメータの値が該伝送対象データパケットに対応する状況パラメータの数値範囲に属するリソースプールを該ターゲットリソースプールとして決定することに用いられる。
【０１６６】
選択肢として、該通信ユニット５２０は、更に、該ネットワーク装置から送信された該対応関係を受信することに用いられる。
【０１６７】
選択肢として、該通信ユニット５２０は、更に、該ネットワーク装置から送信された該状況パラメータを受信することに用いられる。
【０１６８】
該通信装置５００は方法２００及びその各実施例における端末装置の実行する操作を実行することができ、簡潔のために、ここで詳細な説明は省略すると理解すべきである。
【０１６９】
以下、通信装置５００が他の端末装置である場合を例として説明する。
【０１７０】
選択肢として、決定ユニット５１０は該端末装置とネットワーク装置との間のダウンリンク経路損失、及び選択された、データを送信するためのターゲットリソースプールに基づいて第一送信電力を決定することに用いられ、通信ユニット５２０は該第一送信電力に基づいて該ターゲットリソースプールにおけるリソースを利用してネットワーク装置にデータを送信することに用いられる。
【０１７１】
選択肢として、該決定ユニット５１０は、更に、該端末装置と該ネットワーク装置との間のダウンリンク経路損失に基づいて第二送信電力を決定し、該ターゲットリソースプールに対応する調整パラメータに基づいて該第二送信電力を調整して、該第一送信電力を取得することに用いられる。
【０１７２】
選択肢として、該決定ユニット５１０は、更に、リソースプールの状況パラメータと調整パラメータとの対応関係、該ターゲットリソースプールの状況パラメータに基づいて該ターゲットリソースプールに対応する調整パラメータを決定することに用いられ、該状況パラメータは該リソースプールのリソース使用状況を示すことに用いられる。
【０１７３】
選択肢として、該通信ユニット５２０は、更に、ネットワーク装置から送信された該リソースプールの状況パラメータと調整パラメータとの対応関係を受信することに用いられる。
【０１７４】
選択肢として、該決定ユニット５１０は、更に、リソースプールと調整パラメータとの対応関係に基づいて該ターゲットリソースプールに対応する調整パラメータを決定することに用いられ、該状況パラメータは該リソースプールのリソース使用状況を示すことに用いられる。
【０１７５】
選択肢として、該通信ユニット５２０は、更に、ネットワーク装置から送信された該リソースプールと調整パラメータとの対応関係を受信することに用いられる。
【０１７６】
選択肢として、該決定ユニット５１０は、更に、該ターゲットリソースプールの状況パラメータ、該端末装置と該ネットワーク装置との間のダウンリンク経路損失、ダウンリンク経路損失と送信電力とリソースプールの状況パラメータとの三者の間の対応関係に基づいて該第一送信電力を決定することに用いられ、該状況パラメータは該リソースプールのリソース使用状況を示すことに用いられる。
【０１７７】
選択肢として、該通信ユニット５２０は、更に、該ネットワーク装置から送信された該ダウンリンク経路損失と送信電力とリソースプールの状況パラメータとの三者の間の対応関係を受信することに用いられる。
【０１７８】
選択肢として、該決定ユニット５１０は、更に、該端末装置と該ネットワーク装置との間のダウンリンク経路損失、該ターゲットリソースプール、ダウンリンク経路損失と送信電力とリソースプールとの三者の間の対応関係に基づいて該第一送信電力を決定することに用いられる。
【０１７９】
選択肢として、該通信ユニット５２０は、更に、該ネットワーク装置から送信された該ダウンリンク経路損失と送信電力とリソースプールとの三者の間の対応関係を受信することに用いられる。
【０１８０】
選択肢として、該通信装置は方法３００及びその各実施例における端末装置の実行する操作を実行することができ、簡潔のために、ここで詳細な説明は省略する。
【０１８１】
通信装置５００が他の端末装置である場合を例として説明する。
【０１８２】
選択肢として、決定ユニット５１０は該端末装置とネットワーク装置との間のダウンリンク経路損失に基づいてターゲットリソースプールを決定することに用いられ、通信ユニット５２０は該ターゲットリソースプールのリソースを利用してネットワーク装置と通信することに用いられる。
【０１８３】
選択肢として、該決定ユニット５１０は、更に、該ネットワーク装置との間のダウンリンク経路損失、及びダウンリンク経路損失とリソースプールとの対応関係に基づいて該ターゲットリソースプールを決定することに用いられる。
【０１８４】
選択肢として、該通信ユニット５２０は、更に、該ネットワーク装置から送信された該対応関係を受信することに用いられる。
【０１８５】
選択肢として、該通信装置５００は方法４００及びその各実施例における端末装置の実行する操作を実行することができ、簡潔のために、ここで詳細な説明は省略する。
【０１８６】
以下、通信装置５００が１つのネットワーク装置である場合を例として説明する。
【０１８７】
選択肢として、決定ユニット５１０は少なくとも２つのリソースプールのうちの各リソースプールの状況パラメータを決定することに用いられ、該状況パラメータは該リソースプールのリソース使用状況を示すことに用いられる。通信ユニット５２０は端末装置に該各リソースプールの状況パラメータを送信することに用いられる。
【０１８８】
選択肢として、該通信ユニット５２０は、更に、該端末装置にデータパケットサイズ、ＱｏＳレベル、送信電力及びダウンリンク経路損失のうちの少なくとも１つと状況パラメータの数値範囲との対応関係を送信することに用いられる。
【０１８９】
以下、通信装置５００が他のネットワーク装置である場合を例として説明する。
【０１９０】
選択肢として、決定ユニット５１０はダウンリンク経路損失とリソースプールとの対応関係を決定することに用いられ、
通信ユニット５２０は端末装置に該対応関係を送信することに用いられ、それにより該端末装置はネットワーク装置との間のダウンリンク経路損失、及び該対応関係に基づいてアップリンクデータを送信するためのリソースプールを決定する。
【０１９１】
以下、通信装置５００が他のネットワーク装置である場合を例として説明する。
【０１９２】
選択肢として、決定ユニット５１０はリソースプールと調整パラメータとの対応関係を決定することに用いられ、
通信ユニット５２０は端末装置に該対応関係を送信することに用いられ、それにより該端末装置は該対応関係、及び選択された、アップリンクデータを伝送するためのリソースプールに基づいて調整パラメータを決定して、決定された調整パラメータに基づいてアップリンクデータを送信する電力を調整する。
【０１９３】
選択肢として、該リソースプールと調整パラメータとの対応関係は該リソースプールの状況パラメータによって決定され、該状況パラメータは該リソースプールのリソース使用状況を示すことに用いられる。
【０１９４】
以下、通信装置５００が他のネットワーク装置である場合を例として説明する。
【０１９５】
選択肢として、決定ユニット５１０はダウンリンク経路損失と送信電力とリソースプールとの三者の間の対応関係を決定することに用いられ、
通信ユニット５２０は端末装置に該対応関係を送信することに用いられ、それにより該端末装置はターゲットリソースプール、該端末装置と該ネットワーク装置との間のダウンリンク経路損失、及び該対応関係に基づいて該ネットワーク装置にアップリンクデータを送信する送信電力を決定する。
【０１９６】
選択肢として、該ダウンリンク経路損失と送信電力とリソースプールとの三者の間の対応関係は該リソースプールの状況パラメータによって決定され、該状況パラメータは該リソースプールのリソース使用状況を示すことに用いられる。
【０１９７】
以下、通信装置５００が他のネットワーク装置である場合を例として説明する。
【０１９８】
選択肢として、決定ユニット５１０はリソースプールの状況パラメータと調整パラメータとの対応関係を決定することに用いられ、通信ユニット５２０は端末装置に該対応関係を送信することに用いられ、それにより該端末装置は該対応関係、及び選択された、アップリンクデータを伝送するためのリソースプールの状況パラメータに基づいて調整パラメータを決定して、決定された調整パラメータに基づいてアップリンクデータを送信する電力を調整する。
【０１９９】
以下、通信装置５００が他のネットワーク装置である場合を例として説明する。
【０２００】
選択肢として、決定ユニット５１０はダウンリンク経路損失と送信電力とリソースプールの状況パラメータとの三者の間の対応関係を決定することに用いられ、通信ユニット５２０は端末装置に該対応関係を送信することに用いられ、それにより該端末装置はターゲットリソースプールの状況パラメータ、該端末装置と該ネットワーク装置との間のダウンリンク経路損失、及び該対応関係に基づいて該ネットワーク装置にアップリンクデータを送信する送信電力を決定する。
【０２０１】
図９は本願の実施例に係る通信装置６００の模式的なブロック図である。該装置６００はプロセッサ６１０、メモリ６２０及び送受信機６３０を備える。メモリ６２０はプログラム命令を記憶することに用いられる。プロセッサ６１０はメモリ６２０に記憶されるプログラム命令を呼び出すことができる。送受信機６３０は外部と通信することに用いられる。選択肢として、装置６００はプロセッサ６１０、メモリ６２０及び送受信機６３０を接続するバスシステム６４０を更に含む。
【０２０２】
選択肢として、該通信装置は端末装置又はネットワーク装置であってもよい。
【０２０３】
以下、通信装置６００が１つの端末装置である場合を例として説明する。
【０２０４】
選択肢として、プロセッサ６１０はメモリ６２０における命令を呼び出して、
少なくとも２つのリソースプールのうちの各リソースプールの状況パラメータに基づいて、該少なくとも２つのリソースプールからターゲットリソースプールを決定し、該状況パラメータは該リソースプールのリソース使用状況を示すことに用いられることと、
送受信機６３０によって該ターゲットリソースプールのリソースを利用し、ネットワーク装置と通信することと、を実行することができる。
【０２０５】
選択肢として、該状況パラメータは、
該リソースプールのリソース使用率、該リソースプールのリソース衝突確率、該リソースプールにおけるアクセスされた端末数、該リソースプールのリソース受信電力情報、該リソースプールにおけるリソースを利用して伝送したデータの遅延、該リソースプールにおけるリソースを利用して伝送したデータに対するネットワーク装置の応答時間、及び該リソースプールにおけるリソースを利用して伝送したブロックのエラー率、のうちの少なくとも１つを含む。
【０２０６】
選択肢として、該リソースプールのリソース受信電力情報は、
該リソースプールにおけるリソースの平均受信電力、及び該リソースプールにおけるリソースの受信電力の分散度情報のうちの少なくとも１つを含む。
【０２０７】
選択肢として、プロセッサ６１０はメモリ６２０における命令を呼び出して、更に以下の操作を実行してもよい。
該少なくとも２つのリソースプールのうち対応するリソース使用率が第一閾値以下であるリソースプールから該ターゲットリソースプールを決定し、又は
該少なくとも２つのリソースプールのうち対応するリソース衝突確率が第二閾値以下であるリソースプールから該ターゲットリソースプールを決定し、又は
該少なくとも２つのリソースプールのうちアクセスされた端末数が第三閾値以下であるリソースプールから該ターゲットリソースプールを決定し、又は
該少なくとも２つのリソースプールのうち対応する応答時間が第四閾値以下であるリソースプールから該ターゲットリソースプールを決定し、又は
該少なくとも２つのリソースプールのうち対応する遅延時間が第五閾値以下であるリソースプールから該ターゲットリソースプールを決定し、又は
該少なくとも２つのリソースプールのうち対応する受信電力分散度が第六閾値以下であるリソースプールから該ターゲットリソースプールを決定し、又は
該少なくとも２つのリソースプールのうち対応する伝送されたブロックのエラー率が第七閾値以下であるリソースプールから該ターゲットリソースプールを決定し、又は
該少なくとも２つのリソースプールのうち対応する平均受信電力が第八閾値以下であるリソースプールから該ターゲットリソースプールを決定する。
【０２０８】
選択肢として、プロセッサ６１０はメモリ６２０における命令を呼び出して、更に以下の操作を実行してもよい。
該少なくとも２つのリソースプールのうち対応するリソース使用率の最も低いリソースプールを該ターゲットリソースプールとして決定し、又は
該少なくとも２つのリソースプールのうち対応するリソース衝突確率の最も低いリソースプールを該ターゲットリソースプールとして決定し、又は
該少なくとも２つのリソースプールのうちアクセスされた端末数の最も少ないリソースプールを該ターゲットリソースプールとして決定し、又は
該少なくとも２つのリソースプールのうち対応する応答時間の最も短いリソースプールを該ターゲットリソースプールとして決定し、又は
該少なくとも２つのリソースプールのうち対応する遅延時間の最も短いリソースプールを該ターゲットリソースプールとして決定し、又は
該少なくとも２つのリソースプールのうち対応する該受信電力分散度の最も小さいリソースプールを該ターゲットリソースプールとして決定し、又は
該少なくとも２つのリソースプールのうち対応する伝送されたブロックのエラー率の最も小さいリソースプールを該ターゲットリソースプールとして決定し、又は
該少なくとも２つのリソースプールのうち対応する平均受信電力の最も小さいリソースプールから該ターゲットリソースプールを決定する。
【０２０９】
選択肢として、プロセッサ６１０はメモリ６２０における命令を呼び出して、更に以下の操作を実行してもよい。
該状況パラメータが少なくとも２種のパラメータを含む場合、該少なくとも２つのリソースプールのうちの各リソースプールに対応する該少なくとも２種の状況パラメータに対して同じ次元換算を行い、該各リソースプールに対応する換算済みの該少なくとも２つの状況パラメータに対して加重処理を行い、該各リソースプールに対応する加重処理により取得された値に基づいて、該少なくとも２つのリソースプールから該ターゲットリソースプールを決定する。
【０２１０】
選択肢として、プロセッサ６１０はメモリ６２０における命令を呼び出して、更に以下の操作を実行してもよい。
該状況パラメータと、伝送対象データパケットのサイズ、該伝送対象データパケットのＱｏＳレベル、該伝送対象データパケットを伝送する送信電力及びダウンリンク経路損失のうちの少なくとも１つに基づいて、該少なくとも２つのリソースプールから該ターゲットリソースプールを決定する。
【０２１１】
選択肢として、プロセッサ６１０はメモリ６２０における命令を呼び出して、更に以下の操作を実行してもよい。
データパケットサイズ、ＱｏＳレベル、送信電力及びダウンリンク経路損失のうちの少なくとも１つと状況パラメータの数値範囲との対応関係、並びに該伝送対象データパケットのサイズ、該伝送対象データパケットのＱｏＳレベル、該伝送対象データパケットを伝送する送信電力及びダウンリンク経路損失のうちの少なくとも１つに基づいて、該伝送対象データパケットに対応する状況パラメータの数値範囲を決定し、
該少なくとも２つのリソースプールのうち状況パラメータの値が該伝送対象データパケットに対応する状況パラメータの数値範囲に属するリソースプールを該ターゲットリソースプールとして決定する。
【０２１２】
選択肢として、プロセッサ６１０はメモリ６２０における命令を呼び出して、更に以下の操作を実行してもよい。
送受信機６３０によって該ネットワーク装置から送信された該対応関係を受信する。
【０２１３】
選択肢として、プロセッサ６１０はメモリ６２０における命令を呼び出して、更に以下の操作を実行してもよい。
送受信機６３０によって該ネットワーク装置から送信された該状況パラメータを受信する。
【０２１４】
選択肢として、該通信装置６００は方法２００及びその各実施例における端末装置の実行する操作を実行することができ、簡潔のために、ここで詳細な説明は省略する。
【０２１５】
以下、通信装置６００が１つの端末装置である場合を例として説明する。
【０２１６】
選択肢として、プロセッサ６１０はメモリ６２０における命令を呼び出して、以下の操作を実行してもよい。
該端末装置とネットワーク装置との間のダウンリンク経路損失、及び選択された、データを送信するためのターゲットリソースプールに基づいて第一送信電力を決定し、
該第一送信電力に基づいて該ターゲットリソースプールにおけるリソースを利用して送受信機６３０によってネットワーク装置にデータを送信する。
【０２１７】
選択肢として、プロセッサ６１０はメモリ６２０における命令を呼び出して、更に以下の操作を実行してもよい。
該端末装置と該ネットワーク装置との間のダウンリンク経路損失に基づいて第二送信電力を決定し、
該ターゲットリソースプールに対応する調整パラメータに基づいて該第二送信電力を調整して、該第一送信電力を取得する。
【０２１８】
選択肢として、プロセッサ６１０はメモリ６２０における命令を呼び出して、更に以下の操作を実行してもよい。
リソースプールの状況パラメータと調整パラメータとの対応関係、該ターゲットリソースプールの状況パラメータに基づいて該ターゲットリソースプールに対応する調整パラメータを決定し、該状況パラメータは該リソースプールのリソース使用状況を示すことに用いられる。
【０２１９】
選択肢として、プロセッサ６１０はメモリ６２０における命令を呼び出して、更に以下の操作を実行してもよい。
送受信機６３０によって、ネットワーク装置から送信された該リソースプールの状況パラメータと調整パラメータとの対応関係を受信する。
【０２２０】
選択肢として、プロセッサ６１０はメモリ６２０における命令を呼び出して、更に以下の操作を実行してもよい。
リソースプールと調整パラメータとの対応関係に基づいて該ターゲットリソースプールに対応する調整パラメータを決定し、該状況パラメータは該リソースプールのリソース使用状況を示すことに用いられる。
【０２２１】
選択肢として、プロセッサ６１０はメモリ６２０における命令を呼び出して、更に以下の操作を実行してもよい。
送受信機６３０によって、ネットワーク装置から送信された該リソースプールと調整パラメータとの対応関係を受信する。
【０２２２】
選択肢として、プロセッサ６１０はメモリ６２０における命令を呼び出して、更に以下の操作を実行してもよい。
該ターゲットリソースプールの状況パラメータ、該端末装置と該ネットワーク装置との間のダウンリンク経路損失、及びダウンリンク経路損失と送信電力とリソースプールの状況パラメータとの三者の間の対応関係に基づいて該第一送信電力を決定し、該状況パラメータは該リソースプールのリソース使用状況を示すことに用いられる。
【０２２３】
選択肢として、プロセッサ６１０はメモリ６２０における命令を呼び出して、更に以下の操作を実行してもよい。
送受信機６３０によって、該ネットワーク装置から送信された該ダウンリンク経路損失と送信電力とリソースプールの状況パラメータとの三者の間の対応関係を受信する。
【０２２４】
選択肢として、プロセッサ６１０はメモリ６２０における命令を呼び出して、更に以下の操作を実行してもよい。
該端末装置と該ネットワーク装置との間のダウンリンク経路損失、該ターゲットリソースプール、及びダウンリンク経路損失と送信電力とリソースプールとの三者の間の対応関係に基づいて該第一送信電力を決定すること。
【０２２５】
選択肢として、プロセッサ６１０はメモリ６２０における命令を呼び出して、更に以下の操作を実行してもよい。
送受信機６３０によって、該ネットワーク装置から送信された該ダウンリンク経路損失と送信電力とリソースプールとの三者の間の対応関係を受信する。
【０２２６】
選択肢として、該通信装置６００は方法３００及びその各実施例における端末装置の実行する操作を実行することができ、簡潔のために、ここで詳細な説明は省略する。
【０２２７】
以下、通信装置６００が１つの端末装置である場合を例として説明する。
【０２２８】
選択肢として、プロセッサ６１０はメモリ６２０における命令を呼び出して以下の操作を実行してもよい。
該端末装置とネットワーク装置との間のダウンリンク経路損失に基づいてターゲットリソースプールを決定し、
該ターゲットリソースプールのリソースを利用して送受信機６３０によってネットワーク装置と通信する。
【０２２９】
選択肢として、プロセッサ６１０はメモリ６２０における命令を呼び出して、更に以下の操作を実行してもよい。
該ネットワーク装置との間のダウンリンク経路損失、及びダウンリンク経路損失とリソースプールとの対応関係に基づいて該ターゲットリソースプールを決定する。
【０２３０】
選択肢として、プロセッサ６１０はメモリ６２０における命令を呼び出して、更に以下の操作を実行してもよい。
送受信機６３０によって、該ネットワーク装置から送信された該対応関係を受信する。
【０２３１】
選択肢として、該通信装置６００は方法４００及びその各実施例における端末装置の実行する操作を実行することができ、簡潔のために、ここで詳細な説明は省略する。
【０２３２】
以下、通信装置６００が１つのネットワーク装置である場合を例として説明する。
【０２３３】
選択肢として、プロセッサ６１０はメモリ６２０における命令を呼び出して、以下の操作を実行してもよい。
少なくとも２つのリソースプールのうちの各リソースプールの状況パラメータを取得し、該状況パラメータは該リソースプールのリソース使用状況を示すことに用いられ、
送受信機６３０によって端末装置に該各リソースプールの状況パラメータを送信する。
【０２３４】
選択肢として、プロセッサ６１０はメモリ６２０における命令を呼び出して、更に以下の操作を実行してもよい。
送受信機６３０によって該端末装置にデータパケットサイズ、ＱｏＳレベル、送信電力及びダウンリンク経路損失のうちの少なくとも１つと状況パラメータの数値範囲との対応関係を送信する。
【０２３５】
以下、通信装置６００が１つのネットワーク装置である場合を例として説明する。
【０２３６】
選択肢として、プロセッサ６１０はメモリ６２０における命令を呼び出して、以下の操作を実行してもよい。
送受信機６３０によって端末装置にダウンリンク経路損失とリソースプールとの対応関係を送信、それにより該端末装置はネットワーク装置との間のダウンリンク経路損失、及び該対応関係に基づいてアップリンクデータを送信するためのリソースプールを決定する。
【０２３７】
以下、通信装置６００が１つのネットワーク装置である場合を例として説明する。
【０２３８】
選択肢として、プロセッサ６１０はメモリ６２０における命令を呼び出して、以下の操作を実行してもよい。
送受信機６３０によって端末装置にリソースプールと調整パラメータとの対応関係を送信し、それにより該端末装置は該対応関係、及び選択された、アップリンクデータを伝送するためのリソースプールに基づいて調整パラメータを決定して、決定された調整パラメータに基づいてアップリンクデータを送信する電力を調整する。
【０２３９】
選択肢として、該リソースプールと調整パラメータとの対応関係は該リソースプールの状況パラメータによって決定され、該状況パラメータは該リソースプールのリソース使用状況を示すことに用いられる。
【０２４０】
以下、通信装置６００が１つのネットワーク装置である場合を例として説明する。
【０２４１】
選択肢として、プロセッサ６１０はメモリ６２０における命令を呼び出して、以下の操作を実行してもよい。
送受信機６３０によって端末装置にダウンリンク経路損失と送信電力とリソースプールとの三者の間の対応関係を送信し、それにより該端末装置はターゲットリソースプール、該端末装置と該ネットワーク装置との間のダウンリンク経路損失、及び該対応関係に基づいて該ネットワーク装置にアップリンクデータを送信する送信電力を決定する。
【０２４２】
選択肢として、該ダウンリンク経路損失と送信電力とリソースプールの三者の間の対応関係は該リソースプールの状況パラメータによって決定され、該状況パラメータは該リソースプールのリソース使用状況を示すことに用いられる。
【０２４３】
以下、通信装置６００が１つのネットワーク装置である場合を例として説明する。
【０２４４】
選択肢として、プロセッサ６１０はメモリ６２０における命令を呼び出して、以下の操作を実行してもよい。
送受信機６３０によって端末装置にリソースプールの状況パラメータと調整パラメータとの対応関係を送信し、それにより該端末装置は該対応関係、及び選択された、アップリンクデータを伝送するためのリソースプールの状況パラメータに基づいて調整パラメータを決定して、決定された調整パラメータに基づいてアップリンクデータを送信する電力を調整する。
【０２４５】
以下、通信装置６００が１つのネットワーク装置である場合を例として説明する。
【０２４６】
選択肢として、プロセッサ６１０はメモリ６２０における命令を呼び出して、以下の操作を実行してもよい、
送受信機６３０によって端末装置にダウンリンク経路損失と送信電力とリソースプールの状況パラメータとの三者の間の対応関係を送信し、それにより該端末装置はターゲットリソースプールの状況パラメータ、該端末装置と該ネットワーク装置との間のダウンリンク経路損失、及び該対応関係に基づいて該ネットワーク装置にアップリンクデータを送信する送信電力を決定する。
【０２４７】
本願の実施例において、プロセッサは中央演算装置（ＣＰＵ：Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、又はＣＰＵとＮＰの組み合わせであってもよい。プロセッサは更にハードウェアチップを含んでもよい。上記ハードウェアチップは特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、プログラム可能な論理デバイス（ＰＬＤ：Ｐｒｏｇｒａｍｍａｂｌｅ  Ｌｏｇｉｃ  Ｄｅｖｉｃｅ）、又はそれらの組み合わせであってもよい。上記ＰＬＤは複雑なプログラム可能な論理デバイス（ＣＰＬＤ：Ｃｏｍｐｌｅｘ  Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、汎用アレイ論理（ＧＡＬ：Ｇｅｎｅｒｉｃ  Ａｒｒａｙ  Ｌｏｇｉｃ）、又はそれらの任意の組み合わせであってもよい。
【０２４８】
該メモリは揮発性メモリ又は不揮発性メモリであってもよく、又は、揮発性メモリ及び不揮発性メモリの両者を含んでもよい。不揮発性メモリは読み出し専用メモリ（ＲＯＭ：Ｒｅａｄ−Ｏｎｌｙ  Ｍｅｍｏｒｙ）、プログラマブル読み出し専用メモリ（ＰＲＯＭ：Ｐｒｏｇｒａｍｍａｂｌｅ  ＲＯＭ）、消去可能プログラマブル読み出し専用メモリ（ＥＰＲＯＭ：Ｅｒａｓａｂｌｅ  ＰＲＯＭ）、電気的消去可能プログラマブル読み出し専用メモリ（ＥＥＰＲＯＭ：Ｅｌｅｃｔｒｉｃａｌｌｙ  ＥＰＲＯＭ）、又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。
【０２４９】
該バスシステムは、データバスを含むほか、更に電源バス、制御バス及び状態信号バス等を含んでもよい。表示しやすくするために、図面では１本のみの粗線でバスシステムを示すが、１本のみのバス又は１つのタイプのみのバスを有することを示すのではない。
【０２５０】
本願の実施例は上記通信を実行するための方法を含むコンピュータプログラムを記憶するためのコンピュータ可読媒体を提供する。該可読媒体はＲＯＭ又はＲＡＭであってもよく、本願の実施例はこれを制限しない。
【０２５１】
本明細書における用語「及び／又は」及び「Ａ又はＢのうちの少なくとも１つ」は、関連オブジェクトを説明する関連関係に過ぎず、３つの関係が存在してもよいことを示し、例えば、「Ａ及び／又はＢ」は、「Ａが独立して存在する」、「Ａ及びＢが同時に存在する」、「Ｂが独立して存在する」の３つの状況を示してもよいと理解すべきである。また、本明細書における符号「／」は、一般的に前後の関連オブジェクトが「又は」関係であることを示す。
【０２５２】
当業者であれば、本明細書に開示される実施例の説明した各例示的なユニット及びアルゴリズムステップを参照して、電子ハードウェア、又はコンピュータソフトウェアと電子ハードウェアの組み合わせで実現できることを理解しうる。これらの機能をハードウェアそれともソフトウェア方式で実行するかは、技術案の特定応用及び設計制約条件によって決定される。当業者は各特定の応用に対して様々な方法でその説明された機能を実現することができるが、このような実現は本願の範囲を超えると見なされるべきではない。
【０２５３】
当業者であれば、説明を簡易にするために、上記説明されたシステム、装置及びユニットの具体的な動作過程は、上記方法実施例における対応過程を参照してもよく、ここで詳細な説明は省略することを明確に理解しうる。
【０２５４】
本願に係るいくつかの実施例において、開示されるシステム、装置及び方法は、他の方式で実現されてもよいと理解すべきである。例えば、以上に説明された装置実施例は模式的なものに過ぎず、例えば、前記ユニットの区分は論理的な機能上の区分に過ぎず、実際に実現するとき、他の区分方式があってもよく、例えば複数のユニット又はコンポーネントは他のシステムに組合せ又は集積されてもよく、又はいくつかの特徴は省略してもよく、又は実行しなくてもよい。一方、表示又は検討された相互間の結合又は直接結合又は通信接続はいくつかのインターフェース、装置又はユニットによる間接結合又は通信接続であってもよく、電気、機械又は他の形式であってもよい。
【０２５５】
分離部材として説明された前記ユニットは物理的に分離してもよいし、物理的に分離しなくてもよく、ユニットとして表示された部材は物理ユニットであってもよいし、物理ユニットでなくてもよく、すなわち、一箇所に位置してもよいし、複数のネットワークユニットに配置されてもよい。実際の必要に応じて、その一部又は全部のユニットを選択して本実施例案の目的を実現してもよい。
【０２５６】
また、本願の各実施例において、各機能ユニットは１つの処理ユニットに集積されてもよく、各ユニットは独立して物理的に存在してもよく、２つ又は２つ以上のユニットがは１つのユニットに集積されてもよい。
【０２５７】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分又は該技術案の部分はソフトウェア製品の形式で現われてもよく、該コンピュータソフトウェア製品は、１台のコンピュータ装置（パーソナルコンピュータ、サーバ、又はネットワーク装置等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０２５８】
以上の説明は、本願の具体的な実施形態であって、本願の保護範囲を制限するためのものではなく、当業者が本願に開示された技術的範囲内で容易に想到し得る変更又は置換は、いずれも本願の保護範囲内に含まれるべきである。従って、本願の保護範囲は特許請求の範囲の記載に準じるべきである。
【図１】
2019533323.tif 000003
【図２】
2019533323.tif 000004
【図３】
2019533323.tif 000005
【図４】
2019533323.tif 000006
【図５】
2019533323.tif 000007
【図６】
2019533323.tif 000008
【図７】
2019533323.tif 000009
【図８】
2019533323.tif 000010
【図９】
2019533323.tif 000011
【手続補正書】
【提出日】令和1年9月19日(2019.9.19)
【手続補正１】
【補正対象書類名】明細書
【補正対象項目名】００１３
【補正方法】変更
【補正の内容】
【００１３】
第一態様又は上記いずれか１つの可能な実現方式を参照して、第一態様の第六の可能な実現方式では、該少なくとも２つのリソースプールからターゲットリソースプールを決定することは、
該端末装置が該状況パラメータ、伝送対象データパケットのサイズ、該伝送対象データパケットのサービス品質ＱｏＳレベル、該伝送対象データパケットを伝送する送信電力及びダウンリンク経路損失のうちの少なくとも１つに基づいて、該少なくとも２つのリソースプールから該ターゲットリソースプールを決定することを含む。
【手続補正２】
【補正対象書類名】明細書
【補正対象項目名】００１４
【補正方法】変更
【補正の内容】
【００１４】
第一態様又は上記いずれか１つの可能な実現方式を参照して、第一態様の第七の可能な実現方式では、該少なくとも２つのリソースプールから該ターゲットリソースプールを決定することは、
該端末装置がデータパケットサイズ、サービス品質ＱｏＳレベル、送信電力及びダウンリンク経路損失のうちの少なくとも１つと状況パラメータの数値範囲との対応関係、並びに該伝送対象データパケットのサイズ、該伝送対象データパケットのＱｏＳレベル、該伝送対象データパケットを伝送する送信電力及びダウンリンク経路損失のうちの少なくとも１つに基づいて、該伝送対象データパケットに対応する状況パラメータの数値範囲を決定することと、  該少なくとも２つのリソースプールのうちの、状況パラメータの値が該伝送対象データパケットに対応する状況パラメータの数値範囲に属するリソースプールを該ターゲットリソースプールとして決定することと、を含む。
【手続補正３】
【補正対象書類名】明細書
【補正対象項目名】００１７
【補正方法】変更
【補正の内容】
【００１７】
第二態様は通信方法を提供し、
端末装置が該端末装置とネットワーク装置との間のダウンリンク経路損失、及び選択された、データを送信するためのターゲットリソースプールに基づいて、第一送信電力を決定することと、
該端末装置が該第一送信電力に基づいて該ターゲットリソースプールにおけるリソースを利用してネットワーク装置にデータを送信することと、を含む。
【手続補正４】
【補正対象書類名】明細書
【補正対象項目名】００３０
【補正方法】変更
【補正の内容】
【００３０】
選択肢として、端末装置がネットワーク装置との間のダウンリンク経路損失に基づいてターゲットリソースプールを決定することは、
該端末装置が該端末装置と該ネットワーク装置との間のダウンリンク経路損失、及びダウンリンク経路損失とリソースプールとの対応関係に基づいて該ターゲットリソースプールを決定することを含む。
【手続補正５】
【補正対象書類名】明細書
【補正対象項目名】００４７
【補正方法】変更
【補正の内容】
【００４７】
本願の実施例の技術案をより明確に説明するために、以下は実施例又は関連技術の記述において使用必要な図面について簡単に説明するが、以下に説明する図面は単に本願の幾つかの実施例であって、当業者であれば、創造的な労力を払わない前提で、これらの図面に基づいて他の図面に想到しうる。
【手続補正６】
【補正対象書類名】明細書
【補正対象項目名】００７２
【補正方法】変更
【補正の内容】
【００７２】
選択肢として、リソースプールの状況パラメータはリソース衝突確率を含んでもよい。該リソース衝突確率はリソースプールにおける衝突が発生したリソースの比率を指してもよく、衝突とは複数の端末が同じリソースを選択してアップリンク伝送を行うことを意味する。該リソース衝突確率は一定時間内に統計したリソース衝突確率、一分間内に統計した衝突確率を指してもよい。
【手続補正７】
【補正対象書類名】明細書
【補正対象項目名】００７６
【補正方法】変更
【補正の内容】
【００７６】
選択肢として、リソースプールの状況パラメータはリソースプールにおけるリソースを利用して伝送したデータに対するネットワーク装置の応答時間情報を含んでもよく、応答時間情報は複数の端末装置に対応する応答時間の平均値を含んでもよく、各端末装置に対応する応答時間は端末装置があるデータパケットを初めて送信する時間からネットワーク装置が該データパケットの送信成功／受信失敗を示す時間までの時間であってもよい。
【手続補正８】
【補正対象書類名】明細書
【補正対象項目名】００８５
【補正方法】変更
【補正の内容】
【００８５】
更に、端末装置が上記言及された状況パラメータを利用して複数のリソースプールからターゲットリソースプールを選択することは、上記状況パラメータを直接利用して複数のリソースプールからターゲットリソースプールを選択することであってもよいし、該状況パラメータを利用して取得された他の値に基づいて、ターゲットリソースプールを選択し、例えば、リソース使用率及びリソース衝突確率に基づいてターゲットリソースプールを決定することは、リソース使用率とリソース衝突確率の和（ネットワーク装置は端末装置にリソース使用率とリソース衝突確率の和を送信することができる）に基づいてターゲットリソースプールを決定することであってもよいと理解すべきである。
【手続補正９】
【補正対象書類名】明細書
【補正対象項目名】００８６
【補正方法】変更
【補正の内容】
【００８６】
本願をより明確に理解してもらうために、以下、どのように少なくとも２つのリソースプールのうちの各リソースプールの状況パラメータに基づいて該少なくとも２つのリソースプールからターゲットリソースプールを選択するかを具体的に説明する。
【手続補正１０】
【補正対象書類名】明細書
【補正対象項目名】０１０４
【補正方法】変更
【補正の内容】
【０１０４】
上記対応関係の意味は、データパケットのＱｏＳレベルがｃｌａｓｓ  ｉである場合、平均受信電力がＰ  ｉ以下でなければならないということであってもよく、ＱｏＳレベルは降順に配列されており、平均受信電力は昇順に配列されている。
【手続補正１１】
【補正対象書類名】明細書
【補正対象項目名】０１０６
【補正方法】変更
【補正の内容】
【０１０６】
上記対応関係の意味は、データパケットのＱｏＳレベルがｃｌａｓｓ  ｉである場合、伝送されたブロックのエラー率がＢ  ｉ以下でなければならないということであってもよく、ＱｏＳレベルは降順に配列されており、伝送されたブロックのエラー率は昇順に配列されている。
【手続補正１２】
【補正対象書類名】明細書
【補正対象項目名】０１１０
【補正方法】変更
【補正の内容】
【０１１０】
例えば、リソースプールにおけるアクセスされた端末数がデータパケットのサイズに負相関する。
【手続補正１３】
【補正対象書類名】明細書
【補正対象項目名】０１１４
【補正方法】変更
【補正の内容】
【０１１４】
例えば、リソースプールにおけるアクセスされた端末数がデータパケットのＱｏＳレベルサイズに負相関する。
【手続補正１４】
【補正対象書類名】明細書
【補正対象項目名】０１３２
【補正方法】変更
【補正の内容】
【０１３２】
例えば、端末装置がリソースプール２を選択し、該リソースプール２のリソース使用率が５０％以下且つ３０％を超える場合、端末装置は該使用率にマッチングする調整パラメータ、例えば１０ｄｂを選択することができ、このような場合、端末装置はダウンリンク経路損失に基づいて取得した送信電力から１０ｄｂを引いて、最終の送信電力を取得することができる。
【手続補正１５】
【補正対象書類名】明細書
【補正対象項目名】０１５０
【補正方法】変更
【補正の内容】
【０１５０】
該端末装置は該端末装置と該ネットワーク装置との間のダウンリンク経路損失、及びダウンリンク経路損失とリソースプールとの対応関係に基づいて該ターゲットリソースプールを決定する。
【手続補正１６】
【補正対象書類名】明細書
【補正対象項目名】０１８３
【補正方法】変更
【補正の内容】
【０１８３】
選択肢として、該決定ユニット５１０は、更に、該端末装置と該ネットワーク装置との間のダウンリンク経路損失、及びダウンリンク経路損失とリソースプールとの対応関係に基づいて該ターゲットリソースプールを決定することに用いられる。
【手続補正１７】
【補正対象書類名】明細書
【補正対象項目名】０１９０
【補正方法】変更
【補正の内容】
【０１９０】
選択肢として、決定ユニット５１０はダウンリンク経路損失とリソースプールとの対応関係を決定することに用いられ、
通信ユニット５２０は端末装置に該対応関係を送信することに用いられ、それにより該端末装置は該端末装置とネットワーク装置との間のダウンリンク経路損失、及び該対応関係に基づいてアップリンクデータを送信するためのリソースプールを決定する。
【手続補正１８】
【補正対象書類名】明細書
【補正対象項目名】０２２９
【補正方法】変更
【補正の内容】
【０２２９】
選択肢として、プロセッサ６１０はメモリ６２０における命令を呼び出して、更に以下の操作を実行してもよい。
該端末装置と該ネットワーク装置との間のダウンリンク経路損失、及びダウンリンク経路損失とリソースプールとの対応関係に基づいて該ターゲットリソースプールを決定する。
【手続補正１９】
【補正対象書類名】明細書
【補正対象項目名】０２３６
【補正方法】変更
【補正の内容】
【０２３６】
選択肢として、プロセッサ６１０はメモリ６２０における命令を呼び出して、以下の操作を実行してもよい。
送受信機６３０によって端末装置にダウンリンク経路損失とリソースプールとの対応関係を送信、それにより該端末装置は該端末装置とネットワーク装置との間のダウンリンク経路損失、及び該対応関係に基づいてアップリンクデータを送信するためのリソースプールを決定する。
【手続補正２０】
【補正対象書類名】特許請求の範囲
【補正対象項目名】全文
【補正方法】変更
【補正の内容】
【特許請求の範囲】
【請求項１】
通信方法であって、
端末装置が少なくとも２つのリソースプールのうちの各リソースプールの状況パラメータに基づいて前記少なくとも２つのリソースプールからターゲットリソースプールを決定し、前記状況パラメータは前記リソースプールのリソース使用状況を示すことに用いられることと、
前記端末装置が前記ターゲットリソースプールのリソースを利用してネットワーク装置と通信することと、を含むことを特徴とする通信方法。
【請求項２】
前記状況パラメータは、
前記リソースプールのリソース使用率、前記リソースプールのリソース衝突確率、前記リソースプールにおけるアクセスされた端末数、前記リソースプールのリソース受信電力情報、前記リソースプールにおけるリソースを利用して伝送したデータの遅延、前記リソースプールにおけるリソースを利用して伝送したデータに対する前記ネットワーク装置の応答時間、及び前記リソースプールにおけるリソースを利用して伝送したブロックのエラー率、のうちの少なくとも１つを含むことを特徴とする請求項１に記載の方法。
【請求項３】
前記リソースプールのリソース受信電力情報は、
前記リソースプールにおけるリソースの平均受信電力、及び前記リソースプールにおけるリソースの受信電力の分散度情報のうちの少なくとも１つを含むことを特徴とする請求項２に記載の方法。
【請求項４】
前記少なくとも２つのリソースプールからターゲットリソースプールを決定することは、
前記少なくとも２つのリソースプールのうち対応するリソース使用率が第一閾値以下であるリソースプールから前記ターゲットリソースプールを決定すること、又は
前記少なくとも２つのリソースプールのうち対応するリソース衝突確率が第二閾値以下であるリソースプールから前記ターゲットリソースプールを決定すること、又は
前記少なくとも２つのリソースプールのうちアクセスされた端末数が第三閾値以下であるリソースプールから前記ターゲットリソースプールを決定すること、又は
前記少なくとも２つのリソースプールのうち対応する応答時間が第四閾値以下であるリソースプールから前記ターゲットリソースプールを決定すること、又は
前記少なくとも２つのリソースプールのうち対応する遅延時間が第五閾値以下であるリソースプールから前記ターゲットリソースプールを決定すること、又は
前記少なくとも２つのリソースプールのうち対応する受信電力分散度が第六閾値以下であるリソースプールから前記ターゲットリソースプールを決定すること、又は
前記少なくとも２つのリソースプールのうち対応する伝送されたブロックのエラー率が第七閾値以下であるリソースプールから前記ターゲットリソースプールを決定すること、又は
前記少なくとも２つのリソースプールのうち対応する平均受信電力が第八閾値以下であるリソースプールから前記ターゲットリソースプールを決定すること、を含み、
或いは、
前記少なくとも２つのリソースプールからターゲットリソースプールを決定することは、
前記少なくとも２つのリソースプールのうち対応するリソース使用率の最も低いリソースプールを前記ターゲットリソースプールとして決定すること、又は
前記少なくとも２つのリソースプールのうち対応するリソース衝突確率の最も低いリソースプールを前記ターゲットリソースプールとして決定すること、又は
前記少なくとも２つのリソースプールのうちアクセスされた端末数の最も少ないリソースプールを前記ターゲットリソースプールとして決定すること、又は
前記少なくとも２つのリソースプールのうち対応する応答時間の最も短いリソースプールを前記ターゲットリソースプールとして決定すること、又は
前記少なくとも２つのリソースプールのうち対応する遅延時間の最も短いリソースプールを前記ターゲットリソースプールとして決定すること、又は
前記少なくとも２つのリソースプールのうち対応する前記受信電力分散度の最も小さいリソースプールを前記ターゲットリソースプールとして決定すること、又は
前記少なくとも２つのリソースプールのうち対応する伝送されたブロックのエラー率の最も小さいリソースプールを前記ターゲットリソースプールとして決定すること、又は
前記少なくとも２つのリソースプールのうち対応する平均受信電力の最も小さいリソースプールから前記ターゲットリソースプールを決定すること、を含み、
あるいは、
前記少なくとも２つのリソースプールからターゲットリソースプールを決定することは、
前記端末装置が前記状況パラメータ、伝送対象データパケットのサイズ、前記伝送対象データパケットのサービス品質ＱｏＳレベル、前記伝送対象データパケットを伝送する送信電力及びダウンリンク経路損失のうちの少なくとも１つに基づいて、前記少なくとも２つのリソースプールから前記ターゲットリソースプールを決定することを含むことを特徴とする請求項１乃至３のいずれか一項に記載の方法。
【請求項５】
前記状況パラメータが少なくとも２種のパラメータを含む場合、前記少なくとも２つのリソースプールからターゲットリソースプールを決定することは、
前記少なくとも２つのリソースプールのうちの各リソースプールに対応する前記少なくとも２種の状況パラメータに対して同じ次元換算を行うことと、
前記各リソースプールに対応する換算済みの前記少なくとも２つの状況パラメータに対して加重処理を行うことと、
前記各リソースプールに対応する加重処理により取得された値に基づいて、前記少なくとも２つのリソースプールから前記ターゲットリソースプールを決定することと、を含むことを特徴とする請求項１乃至３のいずれか一項に記載の方法。
【請求項６】
前記少なくとも２つのリソースプールから前記ターゲットリソースプールを決定することは、
前記端末装置がデータパケットサイズ、ＱｏＳレベル、送信電力及びダウンリンク経路損失のうちの少なくとも１つと状況パラメータの数値範囲との対応関係、並びに前記伝送対象データパケットのサイズ、前記伝送対象データパケットのＱｏＳレベル、前記伝送対象データパケットを伝送する送信電力及びダウンリンク経路損失のうちの少なくとも１つに基づいて、前記伝送対象データパケットに対応する状況パラメータの数値範囲を決定することと、
前記少なくとも２つのリソースプールのうち状況パラメータの値が前記伝送対象データパケットに対応する状況パラメータの数値範囲に属するリソースプールを前記ターゲットリソースプールとして決定することと、を含むことを特徴とする請求項４に記載の方法。
【請求項７】
前記方法は、更に、
前記ネットワーク装置から送信された前記対応関係を受信することを含むことを特徴とする請求項６に記載の方法。
【請求項８】
前記方法は、更に、
前記ネットワーク装置から送信された前記状況パラメータを受信することを含むことを特徴とする請求項１乃至７のいずれか一項に記載の方法。
【請求項９】
通信方法であって、
端末装置が前記端末装置とネットワーク装置との間のダウンリンク経路損失、及び選択された、データを送信するためのターゲットリソースプールに基づいて第一送信電力を決定することと、
前記端末装置が前記第一送信電力に基づいて、前記ターゲットリソースプールにおけるリソースを利用してネットワーク装置にデータを送信することと、を含むことを特徴とする通信方法。
【請求項１０】
前記端末装置が前記端末装置とネットワーク装置との間のダウンリンク経路損失、及び選択された、データを送信するためのターゲットリソースプールに基づいて第一送信電力を決定することは、
前記端末装置が前記端末装置と前記ネットワーク装置との間の前記ダウンリンク経路損失に基づいて第二送信電力を決定することと、
前記ターゲットリソースプールに対応する調整パラメータに基づいて前記第二送信電力を調整して、前記第一送信電力を取得することとを含み、
或いは、
前記端末装置が前記ターゲットリソースプールの状況パラメータ、前記端末装置と前記ネットワーク装置との間のダウンリンク経路損失、及びダウンリンク経路損失と送信電力とリソースプールの状況パラメータとの三者の間の対応関係に基づいて前記第一送信電力を決定し、前記状況パラメータは前記リソースプールのリソース使用状況を示すことに用いられること、
あるいは、
前記端末装置が前記端末装置と前記ネットワーク装置との間のダウンリンク経路損失、前記ターゲットリソースプール、及びダウンリンク経路損失と送信電力とリソースプールとの三者の間の対応関係に基づいて前記第一送信電力を決定することを含むことを特徴とする請求項９に記載の方法。
【請求項１１】
前記ターゲットリソースプールに対応する調整パラメータに基づいて前記第二送信電力を調整して、前記第一送信電力を取得する前に、前記方法は、更に、
リソースプールの状況パラメータと調整パラメータとの対応関係、及び前記ターゲットリソースプールの状況パラメータに基づいて、前記ターゲットリソースプールに対応する調整パラメータを決定することを含み、前記状況パラメータは前記リソースプールのリソース使用状況を示すことに用いられ、前記端末装置がネットワーク装置から送信された前記リソースプールの状況パラメータと前記調整パラメータとの対応関係を受信し、
あるいは、
リソースプールと調整パラメータとの対応関係に基づいて前記ターゲットリソースプールに対応する調整パラメータを決定し、前記端末装置がネットワーク装置から送信された前記リソースプールと調整パラメータとの対応関係を受信することを特徴とする請求項１０に記載の方法。
【請求項１２】
前記方法は、更に、
前記端末装置がネットワーク装置から送信された前記リソースプールの状況パラメータと調整パラメータとの対応関係を受信すること、
或いは、
前記ネットワーク装置から送信された前記ダウンリンク経路損失と送信電力とリソースプールとの三者の間の対応関係を受信することを含むことを特徴とする請求項１０に記載の方法。
【請求項１３】
通信方法であって、
端末装置が前記端末装置とネットワーク装置との間のダウンリンク経路損失に基づいてターゲットリソースプールを決定することと、
前記端末装置が前記ターゲットリソースプールのリソースを利用してネットワーク装置と通信することと、を含むことを特徴とする通信方法。
【請求項１４】
前記端末装置が前記端末装置とネットワーク装置との間のダウンリンク経路損失に基づいてターゲットリソースプールを決定することは、
前記端末装置が前記端末装置と前記ネットワーク装置との間のダウンリンク経路損失、及びダウンリンク経路損失とリソースプールとの対応関係に基づいて前記ターゲットリソースプールを決定し、
前記方法は、更に、
前記ネットワーク装置から送信された前記対応関係を受信することを含むことを特徴とする請求項１３に記載の方法。
【請求項１５】
端末装置であって、メモリ及びプロセッサーを備え、前記メモリは命令を記憶することに用いられ、前記プロセッサーは前記メモリに記憶される命令を実行することに用いられ、前記プロセッサーは前記メモリに記憶される命令を実行する際に、前記実行によって、前記プロセッサーは請求項１乃至８、又は請求項９乃至１２、又は請求項１３又は１４のいずれか一項に記載の方法を実行することを特徴とする端末装置。
【国際調査報告】
2019533323.tif 000012
2019533323.tif 000013
2019533323.tif 000014
2019533323.tif 000015